(57)【要約】  ３つ以上のノードを備え、ノード間の接続のうち少なくとも一部の区間に複数のコアを備えるマルチコアファイバが用いられている通信システムにおいて、マルチコアファイバに接続されたノードは、他のノードと自ノードとの間の通信経路として排他的に割り当てられたコアに対する信号の挿入及び分岐と、自ノードに接続されたマルチコアファイバの間において他のノード間の通信に割り当てられたコアにより伝送される信号の中継とのいずれか一方又は両方を行うコネクタを備える。コネクタにおいて信号が挿入又は分岐されるコアの接続位置と、コネクタにおいて信号が中継されるコアの接続位置との相対的な位置関係は、マルチコアファイバに接続されたノードのいずれにおいても同じである。
2017090622.tif 000002
【特許請求の範囲】
【請求項１】
３つ以上のノードを備え、前記ノード間の接続のうち少なくとも一部の区間に複数のコアを備えるマルチコアファイバが用いられている通信システムであって、
マルチコアファイバに接続された前記ノードは、
他の前記ノードと自ノードとの間の通信経路として排他的に割り当てられた前記コアに対する信号の挿入及び分岐と、自ノードに接続されたマルチコアファイバの間において他のノード間の通信に割り当てられた前記コアにより伝送される信号の中継とのいずれか一方又は両方を行うコネクタを備え、
前記コネクタにおいて信号が挿入又は分岐される前記コアの接続位置と、前記コネクタにおいて信号が中継される前記コアの接続位置と相対的な位置関係は、マルチコアファイバに接続された前記ノードのいずれにおいても同じである、
通信システム。
【請求項２】
すべての前記ノードは、それぞれ２つの他の前記ノードと接続されている、
請求項１に記載の通信システム。
【請求項３】
少なくとも１つの前記ノードは、割り当てられた前記コアを用いた通信経路をすべての他の前記ノードごとに有する、
請求項１に記載の通信システム。
【請求項４】
複数の前記ノードは、割り当てられた前記コアを用いた通信経路を、複数の他の前記ノードとの間に有する、
請求項１に記載の通信システム。
【請求項５】
すべての前記ノードは、割り当てられた前記コアを用いた通信経路を、他の前記ノードすべてとの間に有する、
請求項４に記載の通信システム。
【請求項６】
前記ノードは、割り当てられた前記コアを用いた通信経路を、通信対象の他の前記ノードごとに１つ有する、
請求項１に記載の通信システム。
【請求項７】
前記ノードは、割り当てられた前記コアを用いた通信経路を、通信対象の他の前記ノードごとに有し、
通信対象の他の前記ノードごとの通信経路は、異なる前記コアを介した通信経路である、
請求項１に記載の通信システム。
【請求項８】
前記ノードは、通信対象の他の前記ノードとの通信における送信と受信とに異なる通信経路を用い、
送信用の前記通信経路に割り当てられる前記コアと、受信用の前記通信経路に割り当てられる前記コアとは異なる、
請求項１に記載の通信システム。
【請求項９】
前記ノードは、通信対象の他の前記ノードとの通信における送信と受信とに、同じ前記コアに割り当てられた通信経路を用いる、
請求項１に記載の通信システム。
【請求項１０】
前記複数のコアは、マルチコアファイバの中心軸を中心にした円周上に配置され、
前記コネクタは、基準となる位置から前記中心軸に対して前記ノードそれぞれで異なる角度だけ回転した位置でマルチコアファイバに取り付けられている、
請求項１に記載の通信システム。
【請求項１１】
前記コネクタは、
自身が備えられた自ノードに隣接する他の前記ノードとの通信を伝送する前記コアに対して信号を挿入又は分岐する接続部と、
自ノードに接続されているマルチコアファイバ間において、他の前記ノード間の通信に割り当てられた前記コアにより伝送される信号を中継する信号中継部と、
を備え、
前記コネクタに備えられる前記信号中継部の数は、自ノードから自ノードの通信対象の他の前記ノードまでの通信経路において経由する他の前記ノードの数以上である、
請求項１に記載の通信システム。
【請求項１２】
前記コネクタは、
前記複数のコアのうち前記ノード間の通信において用いられる通信コアに対して信号の挿入及び分岐と、信号の挿入及び分岐の対象外の前記通信コアの信号を自身が備えられた自ノードに接続されているマルチコアファイバ間での中継とを行う第１のコネクタ部と、
前記複数のコアのうち前記ノード間の通信以外の目的で用いられる共用コアに対して、信号の挿入、分岐又は中継を行う第２のコネクタ部と、
を備える、
請求項１に記載の通信システム。
【請求項１３】
マルチコアファイバに接続された前記ノードは、それぞれ前記第２のコネクタ部により挿入又は分岐される信号を利用する、
請求項１２に記載の通信システム。
【請求項１４】
マルチコアファイバに接続された前記ノードに備えられる前記第２のコネクタ部は、同一の共用コアに対して信号の挿入又は分岐を行う、
請求項１２に記載の通信システム。
【請求項１５】
前記コネクタは、
前記複数のコアそれぞれに対応して設けられた細径シングルモードファイバを備え、
前記細径シングルモードファイバは、信号の挿入又は分岐と、自身が備えられた自ノードに接続されたマルチコアファイバ間における信号の中継とを行う、
請求項１に記載の通信システム。
【請求項１６】
前記コネクタは、
前記複数のコアそれぞれに対応して設けられた導波路コアを含む光導波路を備え、
前記導波路コアは、信号の挿入又は分岐と、自身が備えられた自ノードに接続されたマルチコアファイバ間における信号の中継とを行う、
請求項１に記載の通信システム。
【請求項１７】
前記コネクタは、
自身が備えられた自ノードに接続されたマルチコアファイバの前記複数のコアから出力される信号それぞれを空間的に分離する第１の光学素子と、
前記第１の光学素子により空間的に分離された信号の伝搬方向をコネクタ外部へ変化させることで信号の分岐を行う第２の光学素子と、
コネクタ外部から入力された信号の伝搬方向を空間的に分離された信号の伝搬方向へ変化させることで信号の挿入を行う第３の光学素子と、
前記第１の光学素子により空間的に分離された信号と前記第３の光学素子により伝搬方向が変化された信号とを、自身が備えられた自ノードに接続された他のマルチコアファイバの前記複数のコアにそれぞれ入力する第４の光学素子と、
を備える、
請求項１に記載の通信システム。
【請求項１８】
３つ以上のノードを備え、前記ノード間の接続のうち少なくとも一部の区間に複数のコアを備えるマルチコアファイバが用いられている通信システムにおいて、マルチコアファイバに接続された前記ノードで用いられるコネクタであって、
自身が備えられる自ノードと他の前記ノードとの間の通信経路として排他的に割り当てられた前記コアに対する信号の挿入及び分岐を行い、
コネクタにおいて信号が挿入される前記コアの接続位置と、コネクタにおいて信号が分岐される前記コアの接続位置との相対的な位置関係は、マルチコアファイバに接続された前記ノードで用いられるコネクタのいずれにおいても同じである、
コネクタ。
【請求項１９】
前記自ノードに接続されたマルチコアファイバの間において他の前記ノード間の通信に割り当てられた前記コアにより伝送される信号を中継し、
コネクタにおいて信号が挿入される前記コアの接続位置と、コネクタにおいて信号が分岐される前記コアの接続位置と、コネクタにおいて信号が中継される前記コアの接続位置との相対的な位置関係は、マルチコアファイバに接続された前記ノードで用いられるコネクタのいずれにおいても同じである、
請求項１８に記載のコネクタ。
【発明の詳細な説明】
【技術分野】
【０００１】
本発明は、通信システム及びコネクタに関する。
本願は、２０１５年１１月２６日に、日本に出願された特願２０１５−２３０８７３号に基づき優先権を主張し、その内容をここに援用する。
【背景技術】
【０００２】
大都市間を接続するコアネットワークや、地域内の拠点を接続するメトロネットワークなどでは光ファイバを用いた通信網が構築されている。このようなネットワークでは、複数の光ファイバが束ねて用いられている。また、１本の光ファイバそれぞれに波長が異なる複数の光信号を多重化する波長分割多重（Wavelength Division Multiplexing：ＷＤＭ）伝送を行うことで、大容量の信号伝送が行われている（例えば、非特許文献１）。更なる伝送容量の増加に向けて、１つのコアを持つ光ファイバ（Single Core Fiber：ＳＣＦ）に代えて、複数のコアを持つ光ファイバであるマルチコアファイバ（Multi Core Fiber：ＭＣＦ）の利用が検討されている（例えば、非特許文献２、３）。【０００３】
ＳＣＦを用いた波長分割多重伝送におけるリングネットワークのノードでは、光ファイバ中を多重伝送される光信号から所望の信号をＡｄｄ／Ｄｒｏｐ（挿入と分岐）するために、多重化された光信号を波長ごとに分ける必要があった。今後、ＳＣＦに代えてＭＣＦを用いてネットワークを構成する場合、光信号は伝送するコア数分だけ倍増することとなり、波長ごとに分けられた信号数も著しく増加する。そのため、ＳＣＦを用いたネットワークにおけるＡＤＤ／Ｄｒｏｐと同様の手法を、ＭＣＦを用いたネットワークにおいて適用した場合、各ノードにおいて光信号のＡｄｄ／Ｄｒｏｐを行うための装置が複雑になるという問題がある。また、ノードの設置や保守などに手間が掛かってしまうという問題も生じる。
【先行技術文献】
【非特許文献】
【０００４】
【非特許文献１】松岡伸治、「経済的なコア・メトロネットワークを実現する超高速大容量光トランスポートネットワーク技術」、ＮＴＴ技術ジャーナル、２０１１年３月、ｐ．８−１２
【非特許文献２】宮本裕、竹ノ内弘和、「毎秒ペタビット級伝送の実現を目指した高密度空間多重光通信技術」、ＮＴＴ技術ジャーナル、２０１４年８月、ｐ．５２−５６
【非特許文献３】白木和之、「光ファイバ・ケーブル技術における研究開発の動向」、ＮＴＴ技術ジャーナル、２０１５年１月、ｐ．５９−６３
【発明の概要】
【発明が解決しようとする課題】
【０００５】
前述の事情に鑑み、本発明は、マルチコアファイバに接続されたノードにおいて光信号の挿入と分岐とを容易にする通信システム及びコネクタを提供することを目的としている。
【課題を解決するための手段】
【０００６】
本発明の第１の実施態様における通信システムは、３つ以上のノードを備え、前記ノード間の接続のうち少なくとも一部の区間に複数のコアを備えるマルチコアファイバが用いられている通信システムであって、マルチコアファイバに接続された前記ノードは、他の前記ノードと自ノードとの間の通信経路として排他的に割り当てられた前記コアに対する信号の挿入及び分岐と、自ノードに接続されたマルチコアファイバの間において他のノード間の通信に割り当てられた前記コアにより伝送される信号の中継とのいずれか一方又は両方を行うコネクタを備え、前記コネクタにおいて信号が挿入又は分岐される前記コアの接続位置と、前記コネクタにおいて信号が中継される前記コアの接続位置との相対的な位置関係は、マルチコアファイバに接続された前記ノードのいずれにおいても同じである。【０００７】
また、本発明の第２の実施態様によれば、上記第１の実施態様の通信システムにおいて、すべての前記ノードは、それぞれ２つの他の前記ノードと接続されている。【０００８】
また、本発明の第３の実施態様によれば、上記第１の実施態様の通信システムにおいて、少なくとも１つの前記ノードは、割り当てられた前記コアを用いた通信経路をすべての他の前記ノードごとに有する。【０００９】
また、本発明の第４の実施態様によれば、上記第１の実施態様の通信システムにおいて、複数の前記ノードは、割り当てられた前記コアを用いた通信経路を、複数の他の前記ノードとの間に有する。【００１０】
また、本発明の第５の実施態様によれば、上記第４の実施態様の通信システムにおいて、すべての前記ノードは、割り当てられた前記コアを用いた通信経路を、他の前記ノードすべてとの間に有する。【００１１】
また、本発明の第６の実施態様によれば、上記第１の実施態様の通信システムにおいて、前記ノードは、割り当てられた前記コアを用いた通信経路を、通信対象の他の前記ノードごとに１つ有する。【００１２】
また、本発明の第７の実施態様によれば、上記第１の実施態様の通信システムにおいて、前記ノードは、割り当てられた前記コアを用いた通信経路を、通信対象の他の前記ノードごとに有し、通信対象の他の前記ノードごとの通信経路は、異なる前記コアを介した通信経路である。【００１３】
また、本発明の第８の実施態様によれば、上記第１の実施態様の通信システムにおいて、前記ノードは、通信対象の他の前記ノードとの通信における送信と受信とに異なる通信経路を用い、送信用の前記通信経路に割り当てられる前記コアと、受信用の前記通信経路に割り当てられる前記コアとは異なる。【００１４】
また、本発明の第９の実施態様によれば、上記第１の実施態様の通信システムにおいて、前記ノードは、通信対象の他の前記ノードとの通信における送信と受信とに、同じ前記コアに割り当てられた通信経路を用いる。【００１５】
また、本発明の第１０の実施態様によれば、上記第１の実施態様の通信システムにおいて、前記複数のコアは、マルチコアファイバの中心軸を中心にした円周上に配置され、前記コネクタは、基準となる位置から前記中心軸に対して前記ノードそれぞれで異なる角度だけ回転した位置でマルチコアファイバに取り付けられている。【００１６】
また、本発明の第１１の実施態様によれば、上記第１の実施態様の通信システムにおいて、前記コネクタは、自身が備えられた自ノードに隣接する他の前記ノードとの通信を伝送する前記コアに対して信号を挿入又は分岐する接続部と、自ノードに接続されているマルチコアファイバ間において、他の前記ノード間の通信に割り当てられた前記コアにより伝送される信号を中継する信号中継部と、を備え、前記コネクタに備えられる前記信号中継部の数は、自ノードから自ノードの通信対象の他の前記ノードまでの通信経路において経由する他の前記ノードの数以上である。【００１７】
また、本発明の第１２の実施態様によれば、上記第１の実施態様の通信システムにおいて、前記コネクタは、前記複数のコアのうち前記ノード間の通信において用いられる通信コアに対して信号の挿入及び分岐と、信号の挿入及び分岐の対象外の前記通信コアの信号を自身が備えられた自ノードに接続されているマルチコアファイバ間での中継とを行う第１のコネクタ部と、前記複数のコアのうち前記ノード間の通信以外の目的で用いられる共用コアに対して、信号の挿入、分岐又は中継を行う第２のコネクタ部と、を備える。【００１８】
また、本発明の第１３の実施態様によれば、上記第１２の実施態様の通信システムにおいて、マルチコアファイバに接続された前記ノードは、それぞれ前記第２のコネクタ部により挿入又は分岐される信号を利用する。【００１９】
また、本発明の第１４の実施態様によれば、上記第１２の実施態様の通信システムにおいて、マルチコアファイバに接続された前記ノードに備えられる前記第２のコネクタ部は、同一の共用コアに対して信号の挿入又は分岐を行う。【００２０】
また、本発明の第１５の実施態様によれば、上記第１の実施態様の通信システムにおいて、前記コネクタは、前記複数のコアそれぞれに対応して設けられた細径シングルモードファイバを備え、前記細径シングルモードファイバは、信号の挿入又は分岐と、自身が備えられた自ノードに接続されたマルチコアファイバ間における信号の中継とを行う。【００２１】
また、本発明の第１６の実施態様によれば、上記第１の実施態様の通信システムにおいて、前記コネクタは、前記複数のコアそれぞれに対応して設けられた導波路コアを含む光導波路を備え、前記導波路コアは、信号の挿入又は分岐と、自身が備えられた自ノードに接続されたマルチコアファイバ間における信号の中継とを行う。【００２２】
また、本発明の第１７の実施態様によれば、上記第１の実施態様の通信システムにおいて、前記コネクタは、自身が備えられた自ノードに接続されたマルチコアファイバの前記複数のコアから出力される信号それぞれを空間的に分離する第１の光学素子と、前記第１の光学素子により空間的に分離された信号の伝搬方向をコネクタ外部へ変化させることで信号の分岐を行う第２の光学素子と、コネクタ外部から入力された信号の伝搬方向を空間的に分離された信号の伝搬方向へ変化させることで信号の挿入を行う第３の光学素子と、前記第１の光学素子により空間的に分離された信号と前記第３の光学素子により伝搬方向が変化された信号とを、自身が備えられた自ノードに接続された他のマルチコアファイバの前記複数のコアにそれぞれ入力する第４の光学素子と、を備える。【００２３】
また、本発明の第１８の実施態様におけるコネクタは、３つ以上のノードを備え、前記ノード間の接続のうち少なくとも一部の区間に複数のコアを備えるマルチコアファイバが用いられている通信システムにおいて、マルチコアファイバに接続された前記ノードで用いられるコネクタであって、自身が備えられる自ノードと他の前記ノードとの間の通信経路として排他的に割り当てられた前記コアに対する信号の挿入及び分岐を行い、コネクタにおいて信号が挿入される前記コアの接続位置と、コネクタにおいて信号が分岐される前記コアの接続位置との相対的な位置関係は、マルチコアファイバに接続された前記ノードで用いられるコネクタのいずれにおいても同じである。【００２４】
また、本発明の第１９の実施態様によれば、上記第１８の実施態様のコネクタにおいて、前記自ノードに接続されたマルチコアファイバの間において他の前記ノード間の通信に割り当てられた前記コアにより伝送される信号を中継し、コネクタにおいて信号が挿入される前記コアの接続位置と、コネクタにおいて信号が分岐される前記コアの接続位置と、コネクタにおいて信号が中継される前記コアの接続位置との相対的な位置関係は、マルチコアファイバに接続された前記ノードで用いられるコネクタのいずれにおいても同じである。
【発明の効果】
【００２５】
本発明によれば、マルチコアファイバに接続されたノードにおいて光信号の挿入と分岐を容易にすることが可能となる。
【図面の簡単な説明】
【００２６】
【図１】本発明に関する通信システムの第１の構成例を示す図である。
【図２Ａ】通信システムに用いられるコネクタの第１の構成例を示す図である。
【図２Ｂ】通信システムに用いられるコネクタの第１の構成例を示す図である。
【図３Ａ】通信システムに用いられるコネクタの第２の構成例を示す図である。
【図３Ｂ】通信システムに用いられるコネクタの第２の構成例を示す図である。
【図４Ａ】通信システムに用いられるコネクタの第３の構成例を示す図である。
【図４Ｂ】通信システムに用いられるコネクタの第３の構成例を示す図である。
【図５】通信システムでＷＤＭ伝送を行う場合における、Ａｄｄ／Ｄｒｏｐノードの構成例を示す図である。
【図６】本発明に関する通信システムの第２の構成例を示す図である。
【図７】本発明に関する通信システムの第３の構成例を示す図である。
【図８】本発明に関する通信システムの第４の構成例を示す図である。
【図９】図１に示した通信システムにおいて、Ａｄｄ／Ｄｒｏｐノード間の接続の一部に複数のＳＣＦを用いる第１の構成例を示す図である。
【図１０】図１に示した通信システムにおいて、Ａｄｄ／Ｄｒｏｐノード間の接続に複数のＳＣＦを用いる第２の構成例を示す図である。
【図１１Ａ】本発明の第１の実施形態におけるコネクタの構成を示す第１の図である。
【図１１Ｂ】第１の実施形態におけるコネクタの構成を示す第２の図である。
【図１２Ａ】本発明の第２の実施形態におけるコネクタの構成を示す第１の図である。
【図１２Ｂ】第２の実施形態におけるコネクタの構成を示す第２の図である。
【図１３】本発明の第３の実施形態におけるコネクタの構成を示す図である。
【図１４】本発明の第４の実施形態におけるコネクタの構成を示す図である。
【図１５Ａ】本発明の第５の実施形態における通信システムの物理トポロジを示す図である。
【図１５Ｂ】第５の実施形態における各Ａｄｄ／ＤｒｏｐノードのコネクタとＭＣＦとの接続を示す図である。
【図１６】本発明の第６の実施形態における各Ａｄｄ／ＤｒｏｐノードのコネクタとＭＣＦとの接続を示す図である。
【図１７】本発明の第７の実施形態における各Ａｄｄ／ＤｒｏｐノードのコネクタとＭＣＦとの接続を示す図である。
【図１８】本発明の第８の実施形態における各Ａｄｄ／ＤｒｏｐノードのコネクタとＭＣＦとの接続を示す図である。
【図１９Ａ】本発明に関するマルチコアファイバにおいて共用のコアを設ける一例を示す図である。
【図１９Ｂ】共用コアに対する光信号のＡｄｄ／Ｄｒｏｐの概念を示す図である。
【発明を実施するための形態】
【００２７】
以下、図面を参照して、本発明の実施形態における通信システム及びコネクタを説明する。なお、以下の実施形態では、同一の符号を付した構成要素は同様の動作を行うものとして、重複する説明を適宜省略する。
【００２８】
まず、本発明の実施形態におけるコネクタが適用可能な通信システムであって、マルチコアファイバ（ＭＣＦ）を用いた通信システムの例について説明する。図１は、本発明に関するＭＣＦを用いた通信システム１００の構成例を示す図である。通信システム１００は、送受信ノード１１０と、ｎ台（ｎは１以上の整数）のＡｄｄ／Ｄｒｏｐノード１２０と、を備える。図１には、ｎ＝３の場合における通信システム１００の構成例が示されている。以下の説明では、ｎ台のＡｄｄ／Ｄｒｏｐノード１２０をそれぞれ、Ａｄｄ／Ｄｒｏｐノード１２０−１〜１２０−ｎと記載する。また、送受信ノード１１０とＡｄｄ／Ｄｒｏｐノード１２０とを総称して「ノード」と記載する。以下の説明では、光信号を用いて通信を行う送信装置や受信装置、送受信装置などと、ノードとを個別の構成として記載する。しかし、送信装置や受信装置、送受信装置などをノードが含む構成であってもよい。
【００２９】
ノード間は、ＭＣＦ（マルチコアファイバ）２００−１〜２００−４で接続されている。通信システム１００は、ＭＣＦ２００−１〜２００−４でノード間を接続した片系片方向のリング構成の物理トポロジを有している。送受信ノード１１０とＡｄｄ／Ｄｒｏｐノード１２０−１とは、ＭＣＦ２００−１で接続されている。Ａｄｄ／Ｄｒｏｐノード１２０−１とＡｄｄ／Ｄｒｏｐノード１２０−２とは、ＭＣＦ２００−２で接続されている。Ａｄｄ／Ｄｒｏｐノード１２０−２とＡｄｄ／Ｄｒｏｐノード１２０−３とは、ＭＣＦ２００−３で接続されている。Ａｄｄ／Ｄｒｏｐノード１２０−３と送受信ノード１１０とは、ＭＣＦ２００−４で接続されている。通信システム１００におけるＭＣＦ２００−１〜２００−４は、３つのコア２０１、２０２、２０３を備えている。
【００３０】
通信システム１００の構成についての説明を一般化すると、Ａｄｄ／Ｄｒｏｐノード１２０−ｉ（１≦ｉ≦ｎ−１）は、Ａｄｄ／Ｄｒｏｐノード１２０−（ｉ＋１）とＭＣＦ２００−（ｉ＋１）を介して接続されている。ＭＣＦ２００−１は、送受信ノード１１０とＡｄｄ／Ｄｒｏｐノード１２０−１とを接続する。ＭＣＦ２００−（ｎ＋１）は、Ａｄｄ／Ｄｒｏｐノード１２０−ｎと送受信ノード１１０とを接続する。
【００３１】
通信システム１００の各ノードは、ノード間での通信を行う送信装置（Ｔｘ）及び受信装置（Ｒｘ）を備える。送受信ノード１１０に対して、送信装置１１１−１〜１１１−３と受信装置１１２−１〜１１２−３とが備えられている。Ａｄｄ／Ｄｒｏｐノード１２０−１に対して、送信装置１２１−１と受信装置１２２−１とが備えられている。Ａｄｄ／Ｄｒｏｐノード１２０−２に対して、送信装置１２１−２と受信装置１２２−２とが備えられている。Ａｄｄ／Ｄｒｏｐノード１２０−３に対して、送信装置１２１−３と受信装置１２２−３とが備えられている。送信装置１１１−１〜１１１−３は、それぞれＡｄｄ／Ｄｒｏｐノード１２０−１〜１２０−３へ送信する光信号を生成する。受信装置１１２−１〜１１２−３は、Ａｄｄ／Ｄｒｏｐノード１２０−１〜１２０−３から送信される光信号を受信し、光信号に含まれる情報を取得する。送信装置１２１−１〜１２１−３は、それぞれ送受信ノード１１０へ送信する光信号を生成する。受信装置１２２−１〜１２２−３は、送受信ノード１１０から送信される光信号を受信し、光信号に含まれる情報を取得する。
【００３２】
送信装置１１１−１〜１１１−３は、それぞれＡｄｄ／Ｄｒｏｐノード１２０−１〜１２０−３への光信号を生成する。送信装置１１１−１〜１１１−３により生成された３つの光信号は、それぞれＭＣＦ２００−１のコア２０１−１〜２０３−１に挿入される。受信装置１１２−１〜１１２−３は、それぞれＡｄｄ／Ｄｒｏｐノード１２０−１、１２０−２、１２０−３から受信装置が備えられたノードに送信された光信号を受信する。受信装置１１２−１〜１１２−３は、それぞれＭＣＦ２００−４のコア２０１−４〜２０３−４を介してＡｄｄ／Ｄｒｏｐノード１２０−１〜１２０−３からの光信号を受信する。送受信ノード１１０における、ＭＣＦ２００への光信号の挿入とＭＣＦ２００からの光信号の分岐とには、ファンイン・デバイス又はファンアウト・デバイスが用いられる。
【００３３】
なお、ファンイン・デバイスは、マルチコアファイバ中のコアそれぞれに対して接続され、コアごとに光信号を挿入するデバイスである。ファンアウト・デバイスは、マルチコアファイバ中の各コアに対して接続され、各コア内を伝搬する光それぞれを分岐するデバイスである。両者のデバイスの違いは、光の伝搬方向が異なるだけであることから、ファンイン・デバイス又はファンアウト・デバイスのどちらか１つのデバイスを用いてマルチコアファイバとの光の入出力を実施してもよい。また、１つのデバイスでマルチコアファイバへの光の挿入及びマルチコアファイバからの光の分岐を同時に行ってもよい。
【００３４】
各Ａｄｄ／Ｄｒｏｐノード１２０−１〜１２０−３には、それぞれコネクタ１５０−１〜１５０−３が備えられている。Ａｄｄ／Ｄｒｏｐノード１２０−ｉ（ｉ＝１，２，３）におけるコネクタ１５０−ｉは、ＭＣＦ２００−ｉとＭＣＦ２００−（ｉ＋１）とに接続される。コネクタ１５０−ｉは、送受信ノード１１０で挿入された光信号のうち自ノードへの光信号をＭＣＦ２００−ｉから分岐する。また、コネクタ１５０−ｉは、送受信ノード１１０への光信号をＭＣＦ２００−（ｉ＋１）のコアへ挿入する。
【００３５】
Ａｄｄ／Ｄｒｏｐノード１２０−１において、コネクタ１５０−１は、ＭＣＦ２００−１のコア２０１−１から自ノードへの光信号を分岐する。コネクタ１５０−１は、分岐した光信号を受信装置１２２−１へ接続する。また、コネクタ１５０−１は、送信装置１２１−１により生成された光信号を、ＭＣＦ２００−２のコア２０１−２へ挿入する。コア２０１−２へ挿入される光信号は、Ａｄｄ／Ｄｒｏｐノード１２０−１から送受信ノード１１０へ伝送される光信号である。
【００３６】
コネクタ１５０−１は、ＭＣＦ２００−１のコアのうちコア２０２−１、２０３−１と、ＭＣＦ２００−２のコアのうちコア２０２−２、２０３−２とをそれぞれ接続する。コネクタ１５０−１は、ＭＣＦ２００−１とＭＣＦ２００−２との間において光信号を中継する。コネクタ１５０−１は、光信号をＡｄｄ／Ｄｒｏｐするコア２０１−１、２０１−２以外のコアで伝送される光信号を中継する。
【００３７】
Ａｄｄ／Ｄｒｏｐノード１２０−２において、コネクタ１５０−２は、ＭＣＦ２００−２のコア２０２−２から自ノードへの光信号を分岐する。コネクタ１５０−２は、分岐した光信号を受信装置１２２−２へ接続する。また、コネクタ１５０−２は、送信装置１２１−２により生成された光信号を、ＭＣＦ２００−３のコア２０２−３へ挿入する。コア２０２−３へ挿入される光信号は、Ａｄｄ／Ｄｒｏｐノード１２０−２から送受信ノード１１０へ伝送される光信号である。
【００３８】
コネクタ１５０−２は、ＭＣＦ２００−２のコアのうちコア２０１−２、２０３−２と、ＭＣＦ２００−３のコアのうちコア２０１−３、２０３−３とをそれぞれ接続する。コネクタ１５０−２は、ＭＣＦ２００−２とＭＣＦ２００−３との間において光信号を中継する。コネクタ１５０−２は、光信号をＡｄｄ／Ｄｒｏｐするコア２０１−２、２０１−３以外のコアで伝送される光信号を中継する。
【００３９】
Ａｄｄ／Ｄｒｏｐノード１２０−３において、コネクタ１５０−３は、ＭＣＦ２００−３のコア２０３−３から自ノードへの光信号を分岐する。コネクタ１５０−３は、分岐した光信号を受信装置１２２−３へ接続する。また、コネクタ１５０−３は、送信装置１２１−３により生成された光信号をＭＣＦ２００−４のコア２０３−４へ挿入する。コア２０３−４へ挿入される光信号は、Ａｄｄ／Ｄｒｏｐノード１２０−３から送受信ノード１１０へ伝送される光信号である。
【００４０】
コネクタ１５０−３は、ＭＣＦ２００−３のコアのうちコア２０１−３、２０２−３と、ＭＣＦ２００−４のコアのうちコア２０１−４、２０２−４とをそれぞれ接続する。コネクタ１５０−３は、ＭＣＦ２００−３とＭＣＦ２００−４との間において光信号を中継する。コネクタ１５０−３は、光信号をＡｄｄ／Ｄｒｏｐするコア２０３−３、２０３−４以外のコアで伝送される光信号を中継する。
【００４１】
図２Ａ及び図２Ｂは、通信システム１００に用いられるコネクタ１５０の第１の構成例を示す図である。コネクタ１５０は、複数の細径シングルモードファイバ（ＳＭＦ）と複数のＳＭＦとを含むファンイン・ファンアウト部を備える。図２Ａに示すように、コネクタ１５０は、接続対象のＭＣＦ２００のコアそれぞれに対して細径ＳＭＦを備える。複数の細径ＳＭＦそれぞれの一端は、ＭＣＦ２００のコアに対向する位置に設けられている。また、複数の細径ＳＭＦの他端がＳＭＦの一端に対向する位置に設けられている。細径ＳＭＦそれぞれは、ＭＣＦ２００のコアとＳＭＦとを接続している。コネクタ１５０は、ＭＣＦ２００の各コアで伝送される光信号を、細径ＳＭＦとＳＭＦとを介して分岐することができる。また、ＳＭＦへ光信号を入力することで、ＭＣＦ２００の各コアへ光信号を入力することができる。
【００４２】
図２Ｂに示されるコネクタ１５０−ｉは、ＭＣＦ２００−ｉとＭＣＦ２００−（ｉ＋１）とを接続する。Ａｄｄ／Ｄｒｏｐの対象となる光信号を伝送するコアに対応するＳＭＦの他端が、コネクタ１５０−ｉの側面に引き出されている。コネクタ１５０−ｉの側面に引き出されているＳＭＦの他端において、光信号の挿入と分岐（Ａｄｄ／Ｄｒｏｐ）を行うことができる。
【００４３】
ＭＣＦ２００−ｉのコアのうちＡｄｄ／Ｄｒｏｐの対象でない光信号を伝送するコアに対するＳＭＦの他端と、ＭＣＦ２００−（ｉ＋１）のコアのうちＡｄｄ／Ｄｒｏｐの対象でない光信号を伝送するコアに対するＳＭＦの他端とは、対向する位置に設けられている。コネクタ１５０−ｉにおいて、Ａｄｄ／Ｄｒｏｐの対象でない光信号は、細径ＳＭＦ及びＳＭＦを介して、ＭＣＦ２００−ｉからＭＣＦ２００−（ｉ＋１）へと中継される。
【００４４】
図３Ａ及び図３Ｂは、通信システム１００に用いられるコネクタ１５０の第２の構成例を示す図である。図３Ａ及び図３Ｂには、図２Ａ及び図２Ｂに示したコネクタ１５０の構成例と異なる構成例が示されている。図３Ａ及び図３Ｂに示されるコネクタ１５０は、ガラス基板上に形成された複数の導波路コアを含む光導波路をファンイン・ファンアウト部として備える。図３Ａに示されるように、コネクタ１５０では、複数の導波路コアが、接続対象のＭＣＦ２００のコアそれぞれに対向する位置に設けられている。ＭＣＦ２００の各コアで伝送される光信号は、導波路コアを介して分離される。また、導波路コアへ光信号を挿入することにより、ＭＣＦ２００の各コアへ光信号を入力することができる。
【００４５】
図３Ｂに示されるコネクタ１５０−ｉでは、コネクタ１５０−ｉにより接続されるＭＣＦ２００−ｉ及びＭＣＦ２００−（ｉ＋１）のコアのうちＡｄｄ／Ｄｒｏｐの対象となる光信号を伝送するコアに対応する導波路コアの一端は、ＭＣＦのコアに対向する位置に設けられている。導波路コアの他端は、コネクタ１５０−ｉの側面に設けられている。コネクタ１５０−ｉの側面に位置する導波路コアの他端において、光信号の挿入と分岐を行うことができる。
【００４６】
ＭＣＦ２００−ｉのコアのうちＡｄｄ／Ｄｒｏｐの対象でない光信号を伝送するコアに対する導波路コアの一端はＭＣＦのコアに対向する位置に設けられる。導波路コアの他端は、ＭＣＦ２００−（ｉ＋１）のコアのうちＡｄｄ／Ｄｒｏｐの対象でない光信号を伝送するコアに対向する位置に設けられる。ＭＣＦ２００−ｉ及びＭＣＦ２００−（ｉ＋１）においてＡｄｄ／Ｄｒｏｐの対象でない光信号を伝送するコアは、導波路コアを介して、一対一に接続される。コネクタ１５０−ｉにおいて、Ａｄｄ／Ｄｒｏｐの対象でない光信号は、導波路コアを介して、ＭＣＦ２００−ｉのコアからＭＣＦ２００−（ｉ＋１）のコアへと中継される。
【００４７】
なお、導波路コアは、基板平面の二次元空間に形成されるだけでなく、参考文献１に記載されているように三次元空間に形成されてもよい。
［参考文献１］R. R. Thomson, et al, "Ultrafast-laser inscription of a three dimensional fan-out device for multicore fiber coupling applications", Optics Express, OSA Publishing, 2007, Vol.15, Issue 18, p.11691-11697
【００４８】
図４Ａ及び図４Ｂは、通信システム１００に用いられるコネクタ１５０の第３の構成例を示す図である。図４Ａ及び図４Ｂには、図２Ａ、図２Ｂ、図３Ａ及び図３Ｂに示したコネクタ１５０の構成例と異なる構成例が示されている。図４Ａ及び図４Ｂに示されるコネクタ１５０は、ＭＣＦ２００の各コアで伝送される光信号を一旦自由空間に出力させ、自由空間において各コアの光信号を光学系で分離する。例えば図４Ａに示されるように、コネクタ１５０は２つのレンズで構成されるファンイン・ファンアウト部を備える。ＭＣＦ２００の各コアで伝送される光信号は、自由空間へ出力され、２つのレンズで屈折されることで分離される。光信号のＡｄｄ／Ｄｒｏｐは、光学系を用いて行われる。自由空間を介した２つのＭＣＦ２００の接続は、例えば参考文献２に記載されている。
［参考文献２］W. Klaus, et al, "Free-Space Coupling Optics for Multicore Fibers", Photonics Technology Letters, IEEE, 2012 September, Volume 24, Issue 21, p.1902-1905
【００４９】
図４Ｂは、コネクタ１５０−ｉの構成例を示す図である。図４Ｂに示されるコネクタ１５０−ｉでは、２つのレンズを組み合わせた光学系（コリメーター）によりＭＣＦ２００−ｉの各コアから出射される光信号をコリメートしている。また、コリメートされた光信号それぞれは、ＭＣＦ２００−（ｉ＋１）の各コアに入力される。Ａｄｄ／Ｄｒｏｐの対象となる光信号の光線経路には、光線経路をコネクタ１５０−ｉの側面方向に変更する鏡が配置されている。光学系により平行光線にされた光信号のうち分離対象の光信号を鏡で反射させてコネクタ１５０−ｉの外部へ分岐させることにより、分離対象の光信号を得ることができる。また、コネクタ１５０−ｉの外部から入力される光信号を鏡に当てることにより、鏡で反射される光信号がコリメートされた光信号と共に２つのレンズを組み合わせた光学系に入射する。光学系に入射した光信号がＭＣＦ２００−（ｉ＋１）のコアに接続されることで、Ａｄｄ対象の光信号をコアへ挿入することができる。
【００５０】
Ａｄｄ／Ｄｒｏｐの対象でない光信号は、光学系で分離された後に、Ａｄｄされた光信号と共に束ねられてＭＣＦ２００−（ｉ＋１）のコアそれぞれに入力される。コネクタ１５０−ｉにおいて、Ａｄｄ／Ｄｒｏｐの対象でない光信号は、自由空間を介して、ＭＣＦ２００−ｉからＭＣＦ２００−（ｉ＋１）へと中継される。なお、図面ではファイバ出射光のコリメートにレンズ２枚を使い、自由空間中における光の伝搬方向変更に鏡を使っているが、同様の機能を持つ光学機器を用いてもよい。
【００５１】
図２Ａ、図２Ｂ、図３Ａ、図３Ｂ、図４Ａ及び図４Ｂにおいてコネクタ１５０の構成例を示したが、コネクタ１５０は、説明した媒質及び方法以外のものを用いて実現してもよい。例えば、シリコン上に光導波路を持たせた平面光回路（Planar Lightwave Circuit：ＰＬＣ）をコネクタとして用いてもよい。
【００５２】
通信システム１００では、送受信ノード１１０の送信装置１１１−１で生成された光信号は、ＭＣＦ２００−１のコア２０１−１と、コネクタ１５０−１とを介してＡｄｄ／Ｄｒｏｐノード１２０−１の受信装置１２２−１で受信される。送信装置１１１−２で生成された光信号は、ＭＣＦ２００−１のコア２０２−１と、コネクタ１５０−１と、ＭＣＦ２００−２のコア２０２−２と、コネクタ１５０−２とを介してＡｄｄ／Ｄｒｏｐノード１２０−２の受信装置１２２−２で受信される。送信装置１１１−３で生成された光信号は、ＭＣＦ２００−１のコア２０３−１と、コネクタ１５０−１と、ＭＣＦ２００−２のコア２０３−２と、コネクタ１５０−２と、ＭＣＦ２００−３のコア２０３−３と、コネクタ１５０−３とを介してＡｄｄ／Ｄｒｏｐノード１２０−３の受信装置１２２−３で受信される。
【００５３】
また、Ａｄｄ／Ｄｒｏｐノード１２０−１の送信装置１２１−１で生成された光信号は、コネクタ１５０−１と、ＭＣＦ２００−２のコア２０１−２と、コネクタ１５０−２と、ＭＣＦ２００−３のコア２０１−３と、コネクタ１５０−３と、ＭＣＦ２００−４のコア２０１−４とを介して送受信ノード１１０の受信装置１１２−１で受信される。Ａｄｄ／Ｄｒｏｐノード１２０−２の送信装置１２１−２で生成された光信号は、コネクタ１５０−２と、ＭＣＦ２００−３のコア２０２−３と、コネクタ１５０−３と、ＭＣＦ２００−４のコア２０２−４とを介して送受信ノード１１０の受信装置１１２−２で受信される。Ａｄｄ／Ｄｒｏｐノード１２０−３の送信装置１２１−３で生成された光信号は、コネクタ１５０−３と、ＭＣＦ２００−４のコア２０３−４を介して送受信ノード１１０の受信装置１１２−３で受信される。
【００５４】
通信システム１００において、送受信ノード１１０は、Ａｄｄ／Ｄｒｏｐノード１２０−１〜１２０−３それぞれとの送受信の通信経路を有している。通信システム１００は、送受信ノード１１０を中心としたスター型の論理トポロジを有する。
【００５５】
例えば図２Ａ、図２Ｂ、図３Ａ、図３Ｂ、図４Ａ及び図４Ｂに示したいずれかのコネクタ１５０を用いて、各ノードでＭＣＦ２００を接続することにより、ＭＣＦ２００に含まれる複数のコアのうち所定のコアに対して光信号のＡｄｄ／Ｄｒｏｐを行うことができる。通信システム１００において、ＭＣＦ２００−ｉとＭＣＦ２００−（ｉ＋１）とをコネクタ１５０−ｉを介して接続することにより、Ａｄｄ／Ｄｒｏｐノード１２０−ｉ宛の光信号の分岐と、送受信ノード１１０宛の光信号の挿入とを容易に行うことができる。光信号のＡｄｄ／Ｄｒｏｐにおいては、多重化された波長の異なる光信号を波長ごとに分ける処理などが不要となるため、各Ａｄｄ／Ｄｒｏｐノード１２０における装置の設置や保守の手間を削減できる。
【００５６】
なお、ＭＣＦ２００が３つのコアを備える場合について説明したが、ＭＣＦ２００が４つ以上のコアを備えてもよい。ＭＣＦ２００が４つ以上のコアを備える場合、Ａｄｄ／Ｄｒｏｐノード１２０において２つ以上のコアに対して光信号をＡｄｄ／Ｄｒｏｐしてもよい。
【００５７】
また、ＭＣＦ２００の各コアにおいてＷＤＭ伝送を行ってもよい。ＷＤＭ伝送を行う場合、Ａｄｄ／Ｄｒｏｐノード１２０において、各波長の光信号の分波と合波とが必要になる。図５は、通信システム１００でＷＤＭ伝送を行う場合における、Ａｄｄ／Ｄｒｏｐノード１２０−１の構成例を示す図である。Ａｄｄ／Ｄｒｏｐノード１２０−１は、コネクタ１５０−１と、分波器１２４−１と、合波器１２３−１と、複数の受信装置１２２−１と、複数の送信装置１２１−１とを備える。
【００５８】
コネクタ１５０−１においてＭＣＦ２００−１のコア２０１−１から分岐された光信号は、分波器１２４−１に入力される。分波器１２４−１は、入力された光信号を波長ごとに分波する。分波して得られた各光信号は、それぞれ受信装置１２２−１で受信される。複数の送信装置１２１−１で生成されたそれぞれ波長の異なる光信号は、合波器１２３−１に入力される。合波器１２３−１は、入力された各光信号を合波し、合波して得られた光信号をコネクタ１５０−１へ出力する。コネクタ１５０−１は、合波器１２３−１から入力された光信号を、ＭＣＦ２００−２のコア２０１−２へ接続することで、送受信ノード１１０への光信号をＭＣＦ２００−２へ挿入する。
【００５９】
なお、ＷＤＭ伝送を行う場合においても、Ａｄｄ／Ｄｒｏｐの対象でないＭＣＦ２００−１のコア２０２−１、２０３−１の光信号は、ＭＣＦ２００−２のコア２０２−２、２０３−２へ中継される。そのため、中継される光信号に対しては、各Ａｄｄ／Ｄｒｏｐノードにて波長単位の合分波を行わなくてもよい。ＷＤＭ伝送を行う場合には他のＡｄｄ／Ｄｒｏｐノード１２０においても、Ａｄｄ／Ｄｒｏｐノード１２０−１と同様の構成を備える。
【００６０】
図１に示した通信システム１００と異なる構成の通信システムについて説明する。図６は、本発明に関するＭＣＦを用いた通信システム１００Ａの構成例を示す図である。通信システム１００Ａは、送受信ノード１１０ａ、１１０ｂと、ｎ台のＡｄｄ／Ｄｒｏｐノード１２０と、を備える。図６には、ｎ＝３の場合における通信システム１００Ａの構成例が示されている。通信システム１００Ａは、両系片方向のリング構成の物理トポロジを有している点が、通信システム１００と異なる。
【００６１】
ノード間は、ＭＣＦ２１０−１〜２１０−４で接続されている。送受信ノード１１０ａとＡｄｄ／Ｄｒｏｐノード１２０−１とは、ＭＣＦ２１０−１で接続されている。Ａｄｄ／Ｄｒｏｐノード１２０−１とＡｄｄ／Ｄｒｏｐノード１２０−２とは、ＭＣＦ２１０−２で接続されている。Ａｄｄ／Ｄｒｏｐノード１２０−２とＡｄｄ／Ｄｒｏｐノード１２０−３とは、ＭＣＦ２１０−３で接続されている。Ａｄｄ／Ｄｒｏｐノード１２０−３と送受信ノード１１０ｂとは、ＭＣＦ２１０−４で接続されている。通信システム１００ＡにおけるＭＣＦ２１０−１〜２１０−４は、６つのコア２１１〜２１６を備えている。
【００６２】
通信システム１００Ａの構成についての説明を一般化すると、Ａｄｄ／Ｄｒｏｐノード１２０−ｉ（１≦ｉ≦ｎ−１）は、Ａｄｄ／Ｄｒｏｐノード１２０−（ｉ＋１）とＭＣＦ２１０−（ｉ＋１）を介して接続されている。ＭＣＦ２１０−１は、送受信ノード１１０ａとＡｄｄ／Ｄｒｏｐノード１２０−１とを接続する。ＭＣＦ２１０−（ｎ＋１）は、Ａｄｄ／Ｄｒｏｐノード１２０−ｎと送受信ノード１１０ｂとを接続する。
【００６３】
通信システム１００Ａの各ノードは、ノード間での通信を行う送信装置（Ｔｘ）及び受信装置（Ｒｘ）と、送受信装置（Ｔｘ／Ｒｘ）とのいずれかを備える。送受信ノード１１０ａに対して、送信装置１１１−１〜１１１−３と受信装置１１２−１〜１１２−３とが備えられている。Ａｄｄ／Ｄｒｏｐノード１２０−１に対して、送受信装置１２５−１、１２６−１が備えられている。Ａｄｄ／Ｄｒｏｐノード１２０−２に対して、送受信装置１２５−２、１２６−２が備えられている。Ａｄｄ／Ｄｒｏｐノード１２０−３に対して、送受信装置１２５−３、１２６−３が備えられている。送受信ノード１１０ｂに対して、送信装置１１１−４〜１１１−６と受信装置１１２−４〜１１２−６とが備えられている。なお、図６に示す通信システム１００Ａの構成例では、送受信ノード１１０ａ、１１０ｂに送信装置１１１及び受信装置１１２が備えられ、Ａｄｄ／Ｄｒｏｐノード１２０−１〜１２０−３に送受信装置１２５、１２６が備えられた構成を説明する。しかし、送受信装置１２５、１２６は、その内部に送信装置と受信装置との両者の機能を内包したものであり、送信装置と受信装置とを組み合わせたものと送受信装置とには大きな差分はない。送受信ノード１１０ａ、１１０ｂとＡｄｄ／Ｄｒｏｐノード１２０−１〜１２０−３とにおいて、送信装置及び受信装置と、送受信装置とのいずれが備えられていてもよい。
【００６４】
送信装置１１１−１〜１１１−３は、それぞれＡｄｄ／Ｄｒｏｐノード１２０−１〜１２０−３へ送信する光信号を生成する。送信装置１１１−１〜１１１−３により生成された光信号は、それぞれＭＣＦ２１０−１のコア２１１−１、２１３−１、２１５−１に挿入される。受信装置１１２−１〜１１２−３は、それぞれＡｄｄ／Ｄｒｏｐノード１２０−１〜１２０−３から送受信ノード１１０ａ宛に送信された光信号を受信する。受信装置１１２−１〜１１２−３は、それぞれＭＣＦ２１０−１のコア２１２−１、２１４−１、２１６−１から光信号を受信する。
【００６５】
送信装置１１１−４〜１１１−６は、それぞれＡｄｄ／Ｄｒｏｐノード１２０−１〜１２０−３へ送信する光信号を生成する。送信装置１１１−４〜１１１−６により生成された光信号は、それぞれＭＣＦ２１０−４のコア２１１−４、２１３−４、２１５−４に挿入される。受信装置１１２−４〜１１２−６は、それぞれＡｄｄ／Ｄｒｏｐノード１２０−１〜１２０−３から送受信ノード１１０ｂ宛に送信された光信号を受信する。受信装置１１２−４〜１１２−６は、それぞれＭＣＦ２１０−４のコア２１２−４、２１４−４、２１６−４から光信号を受信する。送受信ノード１１０ａ、１１０ｂにおける、ＭＣＦ２００への光信号の挿入とＭＣＦ２００からの光信号の分岐とには、ファンイン・デバイス又はファンアウト・デバイスが用いられる。
【００６６】
各Ａｄｄ／Ｄｒｏｐノード１２０−ｉ（ｉ＝１，２，３）には、それぞれコネクタ１６０−ｉが備えられている。コネクタ１６０−ｉは、ＭＣＦ２１０−ｉとＭＣＦ２１０−（ｉ＋１）とに接続される。コネクタ１６０−ｉは、送受信ノード１１０ａ、１１０ｂで挿入された光信号のうち自ノードへの光信号をＭＣＦ２１０−ｉ及びＭＣＦ２１０−（ｉ＋１）から分岐する。コネクタ１６０−ｉは、送受信ノード１１０ａ宛の光信号をＭＣＦ２１０−ｉのコアへ挿入する。コネクタ１６０−ｉは、送受信ノード１１０ｂ宛の光信号をＭＣＦ２１０−（ｉ＋１）のコアへ挿入する。
【００６７】
Ａｄｄ／Ｄｒｏｐノード１２０−１において、コネクタ１６０−１は、ＭＣＦ２１０−１のコア２１１−１から自ノードへの光信号を分岐する。コネクタ１６０−１は、分岐した光信号を送受信装置１２５−１へ接続する。また、コネクタ１６０−１は、送受信装置１２５−１により生成された光信号をＭＣＦ２１０−１のコア２１２−１へ挿入する。コア２１２−１へ挿入される光信号は、自ノードから送受信ノード１１０ａへ伝送される光信号である。
【００６８】
更に、コネクタ１６０−１は、ＭＣＦ２１０−２のコア２１１−２から自ノードへの光信号を分岐する。コネクタ１６０−１は、分岐した光信号を送受信装置１２６−１へ接続する。また、コネクタ１６０−１は、送受信装置１２６−１により生成された光信号をＭＣＦ２１０−２のコア２１２−２へ挿入する。コア２１２−２へ挿入される光信号は、自ノードから送受信ノード１１０ｂへ伝送される光信号である。
【００６９】
コネクタ１６０−１は、ＭＣＦ２１０−１のコアのうちコア２１３−１〜２１６−１と、ＭＣＦ２１０−２のコアのうち２１３−２〜２１６−２とをそれぞれ接続する。コネクタ１６０−１は、ＭＣＦ２１０−１とＭＣＦ２１０−２との間において光信号を中継する。コネクタ１６０−１は、光信号をＡｄｄ／Ｄｒｏｐするコア２１１−１、２１２−１、２１１−２、２１２−２以外のコアで伝送される光信号を中継する。
【００７０】
Ａｄｄ／Ｄｒｏｐノード１２０−２において、コネクタ１６０−２は、ＭＣＦ２１０−２のコア２１３−２から自ノードへの光信号を分岐する。コネクタ１６０−２は、分岐した光信号を送受信装置１２５−２へ接続する。また、コネクタ１６０−２は、送受信装置１２５−２により生成された光信号をＭＣＦ２１０−２のコア２１４−２へ挿入する。コア２１４−２へ挿入される光信号は、自ノードから送受信ノード１１０ａへ伝送される光信号である。
【００７１】
更に、コネクタ１６０−２は、ＭＣＦ２１０−３のコア２１３−３から自ノードへの光信号を分岐する。コネクタ１６０−２は、分岐した光信号を送受信装置１２６−２へ接続する。また、コネクタ１６０−２は、送受信装置１２６−２により生成された光信号をＭＣＦ２１０−３のコア２１４−３へ挿入する。コア２１４−３へ挿入される光信号は、自ノードから送受信ノード１１０ｂへ伝送される光信号である。
【００７２】
コネクタ１６０−２は、ＭＣＦ２１０−２のコアのうちコア２１１−２、２１２−２、２１５−２、２１６−２と、ＭＣＦ２１０−３のコアのうちコア２１１−３、２１２−３、２１５−３、２１６−３とをそれぞれ接続する。コネクタ１６０−２は、ＭＣＦ２１０−２とＭＣＦ２１０−３との間において光信号を中継する。コネクタ１６０−２は、光信号をＡｄｄ／Ｄｒｏｐするコア２１３−２、２１４−２、２１３−３、２１４−３以外のコアで伝送される光信号を中継する。
【００７３】
Ａｄｄ／Ｄｒｏｐノード１２０−３において、コネクタ１６０−３は、ＭＣＦ２１０−３のコア２１５−３から自ノードへの光信号を分岐する。コネクタ１６０−３は、分岐した光信号を送受信装置１２６−３へ接続する。また、コネクタ１６０−３は、送受信装置１２６−３により生成された光信号をＭＣＦ２１０−３のコア２１６−３へ挿入する。コア２１６−３へ挿入される光信号は、自ノードから送受信ノード１１０ａへ伝送される光信号である。
【００７４】
更に、コネクタ１６０−３は、ＭＣＦ２１０−４のコア２１５−４から自ノードへの光信号を分岐する。コネクタ１６０−４は、分岐した光信号を送受信装置１２５−３へ接続する。また、コネクタ１６０−３は、送受信装置１２５−３により生成された光信号をＭＣＦ２１０−４のコア２１６−３へ挿入する。コア２１６−４へ挿入される光信号は、自ノードから送受信ノード１１０ｂへ伝送される光信号である。
【００７５】
コネクタ１６０−３は、ＭＣＦ２１０−３のコアのうちコア２１１−３〜２１４−３と、ＭＣＦ２１０−４のコアのうちコア２１１−４〜２１４−４とをそれぞれ接続する。コネクタ１６０−３は、ＭＣＦ２１０−３とＭＣＦ２１０−４との間において光信号を中継する。コネクタ１６０−３は、光信号をＡｄｄ／Ｄｒｏｐするコア２１５−３、２１６−３、２１５−４、２１６−４以外のコアで伝送される光信号を中継する。
【００７６】
通信システム１００Ａにおけるコネクタ１６０−１〜１６０−３は、図２Ａ、図２Ｂ、図３Ａ、図３Ｂ、図４Ａ及び図４Ｂにおいて示したように細径ファイバや光導波路、光学系などを用いることにより、通信システム１００におけるコネクタ１５０−１〜１５０−３と同様に構成することができる。
【００７７】
通信システム１００Ａでは、送受信ノード１１０ａ、１１０ｂとＡｄｄ／Ｄｒｏｐノード１２０−１〜１２０−３それぞれとの間に送信用の通信経路と受信用の通信経路が形成される。送受信ノード１１０ａ、１１０ｂは、Ａｄｄ／Ｄｒｏｐノード１２０−１〜１２０−３と個別に通信することができる。このように、通信システム１００Ａは、送受信ノード１１０ａ、１１０ｂそれぞれをルートノードとするツリー型の論理トポロジを有している。
【００７８】
Ａｄｄ／Ｄｒｏｐノード１２０−１〜１２０−３は、２つの送受信ノード１１０ａ、１１０ｂとの通信経路のうちいずれか一方を現用系（０系）として利用し、他方を予備系（１系）として利用してもよい。また、Ａｄｄ／Ｄｒｏｐノード１２０−１〜１２０−３は、伝送経路の短い通信経路を０系として利用し、伝送経路の長い通信経路を１系として利用してもよい。Ａｄｄ／Ｄｒｏｐノード１２０−１〜１２０−３では、光信号のＡｄｄ／Ｄｒｏｐにおいて、多重化された波長の異なる光信号を波長ごとに分ける処理などが不要となるので装置の設置や保守の手間を削減できる。
【００７９】
なお、各ＭＣＦ２１０が６つのコア２１１〜２１６を備える場合について説明したが、ＭＣＦ２１０が７つ以上のコアを備えてもよい。ＭＣＦ２１０が７つ以上のコアを備える場合、Ａｄｄ／Ｄｒｏｐノード１２０において２つ以上のコアに対して光信号をＡｄｄ／Ｄｒｏｐしてもよい。
【００８０】
また、ＭＣＦ２１０の各コアにおいてＷＤＭ伝送を行ってもよい。ＷＤＭ伝送を行う場合、図５に示したように、各Ａｄｄ／Ｄｒｏｐノード１２０にはＡｄｄ／Ｄｒｏｐする光信号に対する分波器又は合波器が備えられる。
【００８１】
また、送受信ノード１１０ａと送受信ノード１１０ｂとの間を、ＭＣＦ２１０又は７つ以上のコアを備えるＭＣＦを用いて接続してもよい。通信システム１００Ａにおいて、送受信ノード１１０ａ、１１０ｂとＡｄｄ／Ｄｒｏｐノード１２０−１〜１２０−３との役割が変わった場合に、送受信ノード１１０ａ、１１０ｂにコネクタを取り付け、各Ａｄｄ／Ｄｒｏｐノード１２０−１〜１２０−３のコネクタ１５０を他のコネクタ付け替えることで、論理トポロジを容易に変更することができる。これにより、ネットワーク構成の変更に対し柔軟に対応することができる。
【００８２】
図１及び図６に示した通信システムと異なる構成の通信システムについて説明する。図７は、本発明に関するＭＣＦを用いた通信システム１００Ｄの構成例を示す図である。通信システム１００Ｄは、送受信ノード１１０ａ、１１０ｂと、ｎ台のＡｄｄ／Ｄｒｏｐノード１２０と、を備える。図７には、ｎ＝３の場合における通信システム１００Ｄの構成例が示されている。通信システム１００Ｄにおいて、ノード間におけるＭＣＦ２００−１〜２００−４の接続は、通信システム１００ＡにおけるＭＣＦ２１０−１〜２１０−４の接続と同様である。通信システム１００Ｄでは、送受信ノード１１０ａ、１１０ｂから各Ａｄｄ／Ｄｒｏｐノード１２０への通信と、各Ａｄｄ／Ｄｒｏｐノード１２０から送受信ノード１１０ａ、１１０ｂへの通信とが同一のコアを用いて行われる。通信システム１００Ｄは、両系双方向のリング構成の物理トポロジを有する。
【００８３】
通信システム１００Ｄの各ノードは、ノード間での通信を行う送受信装置（Ｔｘ／Ｒｘ）を備える。送受信ノード１１０ａには、送受信装置１１３−１〜１１３−３が備えられている。送受信ノード１１０ｂには、送受信装置１１３−４〜１１３−６が備えられている。Ａｄｄ／Ｄｒｏｐノード１２０−１〜１２０−３には、送受信装置１２５−１〜１２５−３、１２６−１〜１２６−３がそれぞれ備えられている。送受信装置１１３−１〜１１３−６は、それぞれＡｄｄ／Ｄｒｏｐノード１２０−１〜１２０−３へ送信する光信号を生成する。送受信装置１２５−１〜１２５−３は、送受信ノード１１０ａへ送信する光信号を生成する。送受信装置１２６−１〜１２６−３は、送受信ノード１１０ｂへ送信する光信号を生成する。また、送受信装置１１３−１〜１１３−６は、Ａｄｄ／Ｄｒｏｐノード１２０−１〜１２０−３それぞれから送信される光信号を受信し、光信号に含まれる情報を取得する。送受信装置１２５−１〜１２５−３は、送受信ノード１１０ａから送信されられる光信号を受信し、光信号に含まれる情報を取得する。送受信装置１２６−１〜１２６−３は、送受信ノード１１０ｂから送信される光信号を受信し、光信号に含まれる情報を取得する。
【００８４】
送受信ノード１１０ａにおいて、送受信装置１１３−１〜１１３−３は、それぞれＡｄｄ／Ｄｒｏｐノード１２０−１〜１２０−３へ送信する光信号を生成する。送受信装置１１３−１〜１１３−３により生成された３つの光信号は、それぞれＭＣＦ２００−１のコア２０１−１〜２０３−１に挿入される。また、送受信装置１１３−１〜１１３−３は、それぞれＭＣＦ２００−１のコア２０１−１〜２０３−１を介してＡｄｄ／Ｄｒｏｐノード１２０−１〜１２０−３からの光信号を受信する。ＭＣＦ２００−１への光信号の挿入とＭＣＦ２００−１からの光信号の分岐とには、ファンイン／ファンアウト・デバイスが用いられる。
【００８５】
送受信ノード１１０ｂにおいて、送受信装置１１３−４〜１１３−６は、それぞれＡｄｄ／Ｄｒｏｐノード１２０−１〜１２０−３へ送信する光信号を生成する。送受信装置１１３−４〜１１３−６により生成された３つの光信号は、それぞれＭＣＦ２００−４のコア２０１−４〜２０３−４に挿入される。また、送受信装置１１３−４〜１１３−６は、それぞれＭＣＦ２００−４のコア２０１−４〜２０３−４を介してＡｄｄ／Ｄｒｏｐノード１２０−１〜１２０−３からの光信号を受信する。ＭＣＦ２００−４への光信号の挿入とＭＣＦ２００−４からの光信号の分岐とには、送受信ノード１１０ａと同様に、ファンイン／ファンアウト・デバイスが用いられる。
【００８６】
Ａｄｄ／Ｄｒｏｐノード１２０−ｉ（ｉ＝１，２，３）それぞれには、コネクタ１８５−ｉが備えられている。コネクタ１８５−ｉは、ＭＣＦ２００−ｉとＭＣＦ２００−（ｉ＋１）とに接続される。コネクタ１８５−ｉは、ＭＣＦ２００−ｉのコア２０ｉ−ｉから光信号を分岐し、分岐した光信号を送受信装置１２５−ｉへ接続する。コネクタ１８５−ｉは、送受信装置１２５−ｉにより生成された光信号をＭＣＦ２００−ｉのコア２０ｉ−ｉへ挿入する。送受信装置１２５−ｉにより生成された光信号は、Ａｄｄ／Ｄｒｏｐノード１２０−ｉから送受信ノード１１０ａへ伝送される光信号である。
【００８７】
また、コネクタ１８５−ｉは、ＭＣＦ２００−（ｉ＋１）のコア２０ｉ−（ｉ＋１）から光信号を分岐し、分岐した光信号を送受信装置１２６−ｉへ接続する。コネクタ１８５−ｉは、送受信装置１２６−ｉにより生成された光信号をＭＣＦ２００−（ｉ＋１）のコア２０ｉ−（ｉ＋１）へ挿入する。送受信装置１２６−ｉにより生成された光信号は、Ａｄｄ／Ｄｒｏｐノード１２０−ｉから送受信ノード１１０ｂへ伝送される光信号である。
【００８８】
また、コネクタ１８５−ｉは、ＭＣＦ２００−ｉのコアとＭＣＦ２００−（ｉ＋１）のコアとのうち、Ａｄｄ／Ｄｒｏｐの対象となるコア以外のコア２０ｉ−ｉとコア２０ｉ−（ｉ＋１）とを接続して光信号を中継する。
【００８９】
送受信ノード１１０ａとＡｄｄ／Ｄｒｏｐノード１２０−１とは、コア２０１−１により形成される通信経路を用いた双方向の通信を行う。送受信ノード１１０ａとＡｄｄ／Ｄｒｏｐノード１２０−２とは、コア２０２−１、２０２−２により形成される通信経路を用いた双方向の通信を行う。送受信ノード１１０ａとＡｄｄ／Ｄｒｏｐノード１２０−３とは、コア２０３−１、２０３−２、２０３−３により形成される通信経路を用いた双方向の通信を行う。
【００９０】
送受信ノード１１０ｂとＡｄｄ／Ｄｒｏｐノード１２０−１とは、コア２０１−４、２０１−３、２０１−２により形成される通信経路を用いた双方向通信を行う。送受信ノード１１０ｂとＡｄｄ／Ｄｒｏｐノード１２０−２とは、コア２０２−４、２０２−３により形成される通信経路を用いた双方向通信を行う。送受信ノード１１０ｂとＡｄｄ／Ｄｒｏｐノード１２０−３とは、コア２０３−４により形成される通信経路を用いた双方向通信を行う。
【００９１】
このように、通信システム１００Ｄは、送受信ノード１１０ａ、１１０ｂそれぞれをルートノードとしてＡｄｄ／Ｄｒｏｐノード１２０−１〜１２０−３それぞれと通信可能なツリー型の論理トポロジを有する。通信システム１００Ｄでは、Ａｄｄ／Ｄｒｏｐノード１２０−１〜１２０−３は、それぞれ送受信ノード１１０ａ、１１０ｂと通信を行うことができる。Ａｄｄ／Ｄｒｏｐノード１２０−１〜１２０−３は、２つの送受信ノード１１０ａ、１１０ｂとの通信経路のうちいずれか一方を現用系（０系）として利用し、他方を予備系（１系）として利用してもよい。また、Ａｄｄ／Ｄｒｏｐノード１２０−１〜１２０−３は、伝送距離の短い通信経路を０系として利用し、伝送距離の長い通信経路を１系として利用してもよい。
【００９２】
なお、通信システム１００Ｄにおいて、送受信ノード１１０ａと送受信ノード１１０ｂとの間をＭＣＦ２００や、４つ以上のコアを備えるＭＣＦを用いて接続してもよい。通信システム１００Ｄにおいて、送受信ノード１１０ａ、１１０ｂとＡｄｄ／Ｄｒｏｐノード１２０−１〜１２０−３との役割が変わった場合に、送受信ノード１１０ａ、１１０ｂにコネクタを取り付け、各Ａｄｄ／Ｄｒｏｐノード１２０−１〜１２０−３のコネクタ１８５を他のコネクタ付け替えることで、論理トポロジを容易に変更することができる。これにより、ネットワーク構成の変更に対し柔軟に対応することができる。
【００９３】
図１、図６及び図７に示した通信システムと異なる構成の通信システムについて説明する。図８は、本発明に関するＭＣＦを用いた通信システム１００Ｅの構成例を示す図である。通信システム１００Ｅは、リング構成の物理トポロジを有し、完全メッシュ型の論理トポロジを有する。通信システム１００Ｅは、ｎ台のＡｄｄ／Ｄｒｏｐノード１２０を有する。図８には、ｎ＝４の場合における通信システム１００Ｅの構成が示されている。
【００９４】
ノード間は、ＭＣＦ２００−１〜２００−４で接続されている。Ａｄｄ／Ｄｒｏｐノード１２０−１とＡｄｄ／Ｄｒｏｐノード１２０−２とは、ＭＣＦ２００−２で接続されている。Ａｄｄ／Ｄｒｏｐノード１２０−２とＡｄｄ／Ｄｒｏｐノード１２０−３とは、ＭＣＦ２００−３で接続されている。Ａｄｄ／Ｄｒｏｐノード１２０−３とＡｄｄ／Ｄｒｏｐノード１２０−４とは、ＭＣＦ２００−４で接続されている。Ａｄｄ／Ｄｒｏｐノード１２０−４とＡｄｄ／Ｄｒｏｐノード１２０−１とは、ＭＣＦ２００−１で接続されている。ノード間を接続するＭＣＦ２００−１〜２００−４は、３つのコア２０１、２０２、２０３を備えている。
【００９５】
各Ａｄｄ／Ｄｒｏｐノード１２０−ｉ（ｉ＝１，２，３，４）には、それぞれ他のＡｄｄ／Ｄｒｏｐノード１２０と通信するために３つの送受信装置（Ｔｘ／Ｒｘ）１２５−ｉと、コネクタ１９０−ｉとが備えられている。送受信装置１２５−ｉは、それぞれ通信相手のＡｄｄ／Ｄｒｏｐノード１２０に対応して設けられている。コネクタ１９０−１は、ＭＣＦ２００−１とＭＣＦ２００−２とに接続されている。コネクタ１９０−２は、ＭＣＦ２００−２とＭＣＦ２００−３とに接続されている。コネクタ１９０−３は、ＭＣＦ２００−３とＭＣＦ２００−４とに接続されている。コネクタ１９０−４は、ＭＣＦ２００−４とＭＣＦ２００−１とに接続されている。
【００９６】
Ａｄｄ／Ｄｒｏｐノード１２０−１において、コネクタ１９０−１は、ＭＣＦ２００−１のコア２０１−１から光信号を分岐し、分岐した光信号をＡｄｄ／Ｄｒｏｐノード１２０−４と通信する送受信装置１２５−１へ接続する。コネクタ１９０−１は、Ａｄｄ／Ｄｒｏｐノード１２０−４と通信する送受信装置１２５−１により生成された光信号を、ＭＣＦ２００−１のコア２０１−１へ挿入する。また、コネクタ１９０−１は、ＭＣＦ２００−２のコア２０２−２から光信号を分岐し、分岐した光信号をＡｄｄ／Ｄｒｏｐノード１２０−３と通信する送受信装置１２５−１へ接続する。コネクタ１９０−１は、Ａｄｄ／Ｄｒｏｐノード１２０−３と通信する送受信装置１２５−１により生成された光信号を、ＭＣＦ２００−２のコア２０２−２へ挿入する。また、コネクタ１９０−１は、ＭＣＦ２００−２のコア２０１−２から光信号を分岐し、分岐した光信号をＡｄｄ／Ｄｒｏｐノード１２０−２と通信する送受信装置１２５−１へ接続する。コネクタ１９０−１は、Ａｄｄ／Ｄｒｏｐノード１２０−２と通信する送受信装置１２５−１により生成された光信号を、ＭＣＦ２００−２のコア２０１−２へ挿入する。
【００９７】
Ａｄｄ／Ｄｒｏｐノード１２０−２においても、コネクタ１９０−１と同様に、コネクタ１９０−２は、ＭＣＦ２００−２のコア２０１−２とＭＣＦ２００−３のコア２０１−３、２０２−３とに対して光信号の挿入及び分岐を行う。コネクタ１９０−２は、分岐した光信号を、Ａｄｄ／Ｄｒｏｐノード１２０−１、１２０−３、１２０−４と通信する各送受信装置１２５−２へ接続する。また、コネクタ１９０−２は、Ａｄｄ／Ｄｒｏｐノード１２０−１、１２０−３、１２０−４と通信する各送受信装置１２５−２により生成された光信号を、ＭＣＦ２００−２のコア２０１−２とＭＣＦ２００−３のコア２０１−３、２０２−３とへ挿入する。コネクタ１９０−２は、ＭＣＦ２００−２のコア２０２−２とＭＣＦ２００−３のコア２０２−３との間における光信号を中継する。
【００９８】
Ａｄｄ／Ｄｒｏｐノード１２０−３においても、コネクタ１９０−１と同様に、コネクタ１９０−３は、ＭＣＦ２００−３のコア２０１−３、２０２−３とＭＣＦ２００−４のコア２０２−４とに対して光信号の挿入及び分岐を行う。コネクタ１９０−３は、分岐した光信号を、Ａｄｄ／Ｄｒｏｐノード１２０−１、１２０−２、１２０−４と通信する送受信装置１２５−３へ接続する。また、コネクタ１９０−３は、Ａｄｄ／Ｄｒｏｐノード１２０−２、１２０−１、１２０−４と通信する各送受信装置１２５−３により生成された光信号を、ＭＣＦ２００−３のコア２０１−３、２０２−３とＭＣＦ２００−４のコア２０２−４とへ挿入する。コネクタ１９０−３は、ＭＣＦ２００−３のコア２０３−３とＭＣＦ２００−４のコア２０３−４との間における光信号を中継する。
【００９９】
Ａｄｄ／Ｄｒｏｐノード１２０−４においても、コネクタ１９０−１と同様に、コネクタ１９０−４は、ＭＣＦ２００−４のコア２０２−４、２０３−４とＭＣＦ２００−１のコア２０１−１とに対して光信号の挿入及び分岐を行う。コネクタ１９０−４は、分岐した光信号を、Ａｄｄ／Ｄｒｏｐノード１２０−３、１２０−２、１２０−１と通信する送受信装置１２５−４へ接続する。また、コネクタ１９０−４は、Ａｄｄ／Ｄｒｏｐノード１２０−３、１２０−２、１２０−１と通信する各送受信装置１２５−４により生成された光信号を、ＭＣＦ２００−１のコア２０１−１とＭＣＦ２００−４のコア２０１−４、２０２−４とへ挿入する。
【０１００】
ＭＣＦ２００−１〜２００−４をコネクタ１９０−１〜１９０−４を用いて上述のように接続することにより、Ａｄｄ／Ｄｒｏｐノード１２０−１〜１２０−４それぞれの間に一対一の通信経路が形成される。通信システム１００Ｅは完全メッシュ型の論理トポロジを有する。
【０１０１】
なお、通信システム１００Ｅでは、Ａｄｄ／Ｄｒｏｐノード１２０−１〜１２０−４それぞれの間すべてに通信経路を形成した構成を説明した。しかし、通信システムは、Ａｄｄ／Ｄｒｏｐノード１２０−１〜１２０−４それぞれの間の一部に通信経路を形成した部分メッシュ型の論理トポロジを有してもよい。また、通信システム１００Ｅでは、伝送方向が異なる光信号を１つのコアで伝送する双方向の通信が行われる構成を説明した。しかし、通信システムは、図１や図６、図７などに示したように、１つのコアで１つの伝送方向の光信号のみを伝送する片方向の通信を行うようにしてもよい。また、通信システムは、各Ａｄｄ／Ｄｒｏｐノード１２０−１〜１２０−４それぞれの間において２系統の通信経路を形成した両系の構成を有してもよい。
【０１０２】
本発明の実施形態におけるコネクタが適用可能な通信システムとして、４つの通信システム１００、１００Ａ、１００Ｄ、１００Ｅを説明した。各通信システムでは、ノード間の接続にＭＣＦを用いる構成を説明した。しかし、ノード間の接続にＳＣＦ（Single Core Fiber）が用いられた通信システムに対して、各実施形態において説明するコネクタを適用してもよい。ノード間の接続にＳＣＦが用いられる場合、ＭＣＦと複数のＳＣＦとを接続する変換コネクタ、又はコネクタと複数のＳＣＦとを接続する変換コネクタが用いられる。
【０１０３】
図９は、図１に示した通信システム１００において、Ａｄｄ／Ｄｒｏｐノード１２０−１とＡｄｄ／Ｄｒｏｐノード１２０−２との接続の一部に複数のＳＣＦ４５１、４５２、４５３を用いる第１の構成例を示すブロック図である。コネクタ１５０−１に接続されたＭＣＦ２００−２１と、コネクタ１５０−２に接続されたＭＣＦ２００−２２との間にＳＣＦ４５１、４５２、４５３が用いられている。
【０１０４】
ＭＣＦ２００−２１とＳＣＦ４５１〜４５３との接続には変換コネクタ４００−１が用いられている。変換コネクタ４００−１は、ＭＣＦ２００−２１のコア２０１−２１、２０２−２１、２０３−２１と、ＳＣＦ４５１、４５２、４５３とをそれぞれ接続する。ＭＣＦ２００−２２とＳＣＦ４５１〜４５３との接続には変換コネクタ４００−２が用いられている。変換コネクタ４００−２は、ＭＣＦ２００−２２のコア２０１−２２、２０２−２２、２０３−２２と、ＳＣＦ４５１、４５２、４５３とをそれぞれ接続する。
【０１０５】
変換コネクタ４００−１、４００−２は、ファンイン・デバイス又はファンアウト・デバイスと同じ構成を有している。変換コネクタ４００−１、４００−２を用いることにより、ノード間の接続における一部区間にＳＣＦを用いることができる。
【０１０６】
図１０は、図１に示した通信システム１００において、Ａｄｄ／Ｄｒｏｐノード１２０−１とＡｄｄ／Ｄｒｏｐノード１２０−２との接続に複数のＳＣＦ４５１、４５２、４５３を用いる第２の構成例を示すブロック図である。コネクタ１５０−１とコネクタ１５０−２との接続にＳＣＦ４５１、４５２、４５３が用いられている。図１０に示す構成例は、Ａｄｄ／Ｄｒｏｐノード１２０−１、１２０−２間の接続にＭＣＦが用いられていない構成が図９に示した構成例と異なる。
【０１０７】
Ａｄｄ／Ｄｒｏｐノード１２０−１は、更に変換コネクタ４１０−１を備える。コネクタ１５０−１のＡｄｄ／Ｄｒｏｐノード１２０−２側に変換コネクタ４１０−１が取り付けられる。Ａｄｄ／Ｄｒｏｐノード１２０−２は、更に変換コネクタ４１０−２を備える。コネクタ１５０−２のＡｄｄ／Ｄｒｏｐノード１２０−１側に変換コネクタ４１０−２が取り付けられる。ＭＣＦ２００が有するコア数と同数のＳＣＦ４５１〜４５３が、変換コネクタ４１０−１、４１０−２間の接続に用いられる。
【０１０８】
変換コネクタ４１０−１は、ＳＣＦ４５１、４５２、４５３とコネクタ１５０−１とを接続する。コネクタ１５０−１は、ＭＣＦ２００−２に代えて、変換コネクタ４１０−１と光信号の入出力を行う。コネクタ１５０−１は、変換コネクタ４１０−１を介して、ＭＣＦ２００−１のコア２０２−１、２０３−１とＳＣＦ４５２、４５３とをそれぞれ接続する。変換コネクタ４１０−１は、コネクタ１５０−１を介して、送信装置１２１−１が生成した光信号をＳＣＦ４５１へ挿入する。
【０１０９】
変換コネクタ４１０−２は、ＳＣＦ４５１、４５２、４５３とコネクタ１５０−２とを接続する。コネクタ１５０−２は、ＭＣＦ２００−２に代えて、変換コネクタ４１０−２と光信号の入出力を行う。コネクタ１５０−２は、変換コネクタ４１０−２を介して、ＳＣＦ４５１、４５３とＭＣＦ２００−３のコア２０１−３、２０３−３とをそれぞれ接続する。コネクタ１５０−２は、変換コネクタ４１０−２を介して、ＳＣＦ４５３から分岐した光信号を受信装置１２２−２へ接続する。
【０１１０】
変換コネクタ４１０−１、４１０−２は、ファンイン・デバイス又はファンアウト・デバイスと同じ構成を有している。変換コネクタ４１０−１、４１０−２を用いることにより、ノード間の接続にＳＣＦを用いることができる。
【０１１１】
図９及び図１０では、３つコアを有するＭＣＦ２００に代えてＳＣＦを用いてノード間を接続する構成例を示した。２つ又は４つ以上のコアを有するＭＣＦに代えてＳＣＦをノード間の接続に用いてもよい。この場合においても、同様に、変換コネクタが用いられる。
【０１１２】
図９及び図１０では、図１に示した通信システム１００におけるＡｄｄ／Ｄｒｏｐノード１２０−１、１２０−２間の接続にＳＣＦを用いる例を示した。他のノード間の接続にもＳＣＦを用いてもよい。この場合、一つのノード間の接続に変換コネクタ４００を用い、他のノード間の接続に変換コネクタ４１０を用いてもよい。また、一つのノード間の接続に、ＭＣＦとＳＣＦとを接続する変換コネクタ４００と、コネクタ１５０に接続する変換コネクタ４１０とを組み合わせて用いてもよい。例えば、Ａｄｄ／Ｄｒｏｐノード１２０−１において変換コネクタ４００が用いられ、Ａｄｄ／Ｄｒｏｐノード１２０−２において変換コネクタ４１０が用いられてもよい。
【０１１３】
一つのノード間の接続において、ＭＣＦとＳＣＦとの変換が複数回行われてもよい。例えば、Ａｄｄ／Ｄｒｏｐノード１２０−１、１２０−２との間の接続において、ＭＣＦ、ＳＣＦ、ＭＣＦ、ＳＣＦ、ＭＣＦの順でＭＣＦとＳＣＦとが用いられてもよい。この場合、ＭＣＦとＳＣＦとの間それぞれに変換コネクタが用いられる。
【０１１４】
また、図１０において説明した、コネクタ１５０−１と変換コネクタ４１０−１とが１つのコネクタとして構成されてもよい。同様に、コネクタ１５０−２と変換コネクタ４１０−２とが１つのコネクタとして構成されてもよい。すなわち、ＭＣＦと複数のＳＣＦとに接続されるコネクタが、ＭＣＦ又はＳＣＦに対して光信号のＡＤＤ／Ｄｒｏｐを行うとともに、ＭＣＦとＳＣＦとの間における光信号の中継を行ってもよい。
【０１１５】
以上説明したように、図１に示した通信システム１００及び他の通信システムにおけるノード間の接続のうち一つ又は複数に、ＳＣＦが用いられてもよい。
【０１１６】
［第１の実施形態］
本発明に係る第１の実施形態における通信システムでは、各ノードにおいて同一の構成を有するコネクタが、ＭＣＦ間を接続する。コネクタが、自ノードに関する光信号の挿入及び分岐（Ａｄｄ／Ｄｒｏｐ）を行う。各ノードで同一の構成又は形状を有するコネクタを用いることにより、ノードごとに構成又は形状の異なるコネクタを用意する必要がなくなる。更に、通信システムを構成する際のコストの削減、ＭＣＦ間を接続する際に間違ったコネクタを用いてしまうなどの人為的なミスの抑制が可能となる。
【０１１７】
図１１Ａ及び図１１Ｂは、第１の実施形態におけるコネクタ５１０の構成を説明する図である。第１の実施形態のコネクタ５１０は、例えば図６に示した通信システム１００Ａと同じ、リング型の物理トポロジであり２つの送受信ノードそれぞれをルートノードとするツリー型の論理トポロジを有する通信システムにおいて用いられる。コネクタ５１０は、マルチコアファイバの断面において複数のコアがマルチコアファイバの中心軸を中心とする円周上に配置されている２つのマルチコアファイバを接続する。２つのマルチコアファイバにおける複数のコアの配置は、同じ配置である。コネクタ５１０は、図６に示した通信システム１００Ａの各Ａｄｄ／Ｄｒｏｐノードで用いられる。図１１Ａ及び図１１Ｂに示すマルチコアファイバ（ＭＣＦ）２１０は、図６に示した通信システム１００Ａで用いられるＭＣＦ２１０であり、６つのコア２１１〜２１６を備える。６つのコア２１１〜２１６は、ＭＣＦ２１０の軸方向からみると、同心円上に等間隔に配置され、６回対称の回転対称に配置されている。
【０１１８】
コネクタ５１０は、図１１Ａに示すようにコア２１１〜２１６のうち、２つのコアを選択する。コネクタ５１０は、選択した２つのコアに対して光信号の挿入／分岐を行い、他のコアに対して光信号を中継（スルー）する。光信号の挿入／分岐の対象となるコアの組は、コア２１１とコア２１２との組、コア２１３とコア２１４との組、あるいはコア２１５とコア２１６の組のいずれかである。コア２１１、２１２に対して光信号の挿入／分岐を行う場合のコネクタ５１０とＭＣＦ２１０との取り付け位置に対して、コネクタ５１０をＭＣＦ２１０の軸方向（紙面に対し奥行き方向）に対してＭＣＦの中心軸を中心として時計回りに６０度回転させた位置に取り付けたとき、コア配置の回転対称性により、コネクタ５１０は、コア２１３とコア２１４とに対して光信号の挿入／分岐を行うことができる。更に、コネクタ５１０をＭＣＦ２１０の軸方向に対してＭＣＦの中心軸を中心として１２０度回転させた位置に取り付けたとき、コネクタ５１０は、コア２１５とコア２１６とに対して光信号の挿入／分岐を行うことができる。
【０１１９】
コネクタ５１０をＭＣＦ２１０に取り付ける際にＭＣＦ２１０の軸方向に対してコネクタ５１０の回転角度をユーザが容易に把握できるようにしてもよい。例えば、ＭＣＦ２１０の皮膜に目印となる線やマークを軸方向に沿ってつけて基準となる位置が分かるようにしてもよい。基準となる位置は、例えばコア２１１の位置が把握できる位置である。また、基準となる位置を把握できるようにＭＣＦ２１０の皮膜の形状を形成してもよい。例えば、コア２１１の位置が把握できるように、軸方向に沿って皮膜に溝や突起をつけてもよい。
【０１２０】
図１１Ｂは、コネクタ５１０が２つのＭＣＦ２１０を接続した際の光信号の扱いを示す図である。図１１Ｂには、コネクタ５１０を、図６の通信システム１００ＡにおけるＡｄｄ／Ｄｒｏｐノード１２０−３に用いた場合が示されている。すなわち、コネクタ１６０−３に代えてコネクタ５１０を用いた場合が示されている。コネクタ５１０は、ＭＣＦ２１０−３とＭＣＦ２１０−４とを接続する。
【０１２１】
コネクタ５１０は、ＭＣＦ２１０−３のコア２１５−３から光信号を分岐し、分岐した光信号を送受信装置１２６−３へ接続する。コネクタ５１０は、送受信装置１２６−３により生成される送受信ノード１１０ａへの光信号を、ＭＣＦ２１０−３のコア２１６−３へ挿入する。また、コネクタ５１０は、ＭＣＦ２１０−４のコア２１５−４から光信号を分岐し、分岐した光信号を送受信装置１２５−３へ接続する。コネクタ５１０は、送受信装置１２５−３により生成される送受信ノード１１０ｂへの光信号を、ＭＣＦ２１０−４のコア２１６−４へ挿入する。また、コネクタ５１０は、ＭＣＦ２１０−３の基準となる位置と、ＭＣＦ２１０−４の基準となる位置とを合わせた際に、対向するそれぞれのコア２１１〜２１６のうちＡｄｄ／Ｄｒｏｐの対象となるコア以外のコア２１１〜２１４における光信号を中継する。
【０１２２】
コネクタ５１０をＭＣＦ２１０に取り付ける際にＭＣＦ２１０の軸方向に対してコネクタ５１０を所定の角度回転させることにより、Ａｄｄ／Ｄｒｏｐの対象となるコアをコネクタ５１０に選択させることができる。Ａｄｄ／Ｄｒｏｐの対象となるコアがノードごとに異なる場合には、コネクタ５１０をＭＣＦ２１０の軸方向に対してノードごとに異なる角度回転させた上でＭＣＦ２１０に取り付ける。このようにコネクタ５１０がＭＣＦ２１０に取り付けられることにより、各ノードにおいて同じコネクタ５１０を用いて、所望のコアに対して光信号のＡｄｄ／Ｄｒｏｐを行うことができる。ここで、ノードごとに異なる角度は、ＭＣＦ２１０におけるコアの配置がｎ回対称である場合において（３６０／ｎ）度の整数倍の角度である。本実施形態では、２つのコアを選択するので、０度と１８０度、６０度と２４０度、１２０度と３００度のそれぞれにおける選択では同じコアが選択される。
【０１２３】
なお、図１１Ａ及び図１１Ｂでは、マルチコアファイバ２１０において、選択されるコアの組として中心（マルチコアファイバの中心軸）を挟んで対向するコアの組を一例として説明した。しかし、選択されるコアの組は、図１１Ａ及び図１１Ｂに示した組以外でもよい。例えば、隣接するコアを組としてもよい。コア２１１、２１３と、コア２１５、２１２と、コア２１４、２１６とをそれぞれ組としてもよい。この場合、コア２１１、２１３の組を選択するコネクタの取り付け位置を基準位置にしたとき、コア２１５、２１２の組を選択するノードでは、マルチコアファイバの中心軸に対して基準位置から時計方向に１２０度回転させた位置でコネクタがマルチコアファイバに取り付けられることになる。また、コア２１４、２１６の組を選択するノードでは、中心軸に対して基準から時計方向に２４０度回転させた位置でコネクタがマルチコアファイバに取り付けられることになる。
【０１２４】
本実施形態ではマルチコアファイバにおけるコアの配置の一例と、コアの配置に応じたコネクタの構成例とを示した。前述の例に限ることなく、複数のＡｄｄ／Ｄｒｏｐノードがある場合であってもコネクタをマルチコアファイバに取り付ける回転角度に応じて各Ａｄｄ／Ｄｒｏｐノードに割り当てられたコアを選択できればよい。Ａｄｄ／Ｄｒｏｐノードがｎノードある場合には、ｎ個の異なる回転角度それぞれで、Ａｄｄ／Ｄｒｏｐの対象となるコアが選択され、他のコアにおける光信号がマルチコアファイバ間で中継されるように、マルチコアファイバにおいてコアが配置されていればよい。その際、コネクタはマルチコアファイバ間の中継が行えるように一部ノードでのみ用いる光信号の中継構造を備えてもよい。
【０１２５】
また、ＭＣＦ２１０−ｉ（ｉ＝１，２，３）とＭＣＦ２００−（ｉ＋１）とをコネクタ５１０を介して接続することにより、Ａｄｄ／Ｄｒｏｐノード１２０−ｉへの光信号の取得と、送受信ノード１１０ａ，１１０ｂへの光信号の挿入とを容易に行うことができる。光信号のＡｄｄ／Ｄｒｏｐにおいては、多重化された波長の異なる光信号を波長ごとに分ける処理などが不要となるため、各Ａｄｄ／Ｄｒｏｐノード１２０における装置の設置や保守の手間を削減できる。
【０１２６】
［第２の実施形態］
第２の実施形態におけるコネクタは、第１の実施形態におけるコネクタ５１０が各送受信ノードに対してＭＣＦ中の２つのコアでＡｄｄ／Ｄｒｏｐを行っていたが、各送受信ノードに対してＭＣＦ中の１つのコアでＡｄｄ／Ｄｒｏｐを行う。図１２Ａ及び図１２Ｂは、第２の実施形態におけるコネクタ５２０の構成を説明する図である。コネクタ５２０は、例えば図１や図７に示した通信システムと同じ、リング型の物理トポロジであり、送受信ノードをルートノードとするツリー型の論理トポロジを有する通信システムにおいて用いられる。コネクタ５２０は、ファイバ断面において複数のコアがマルチコアファイバの中心軸を中心とする円周上に配置されている２つのマルチコアファイバを接続する。２つのマルチコアファイバにおける複数のコアの配置は、同じ配置である。コネクタ５２０は、図１や図７に示した通信システムの各Ａｄｄ／Ｄｒｏｐノードで用いられる。図１２Ａ及び図１２Ｂに示すマルチコアファイバ（ＭＣＦ）２００は、図１や図７に示した通信システムで用いられるＭＣＦ２００であり、３つのコア２０１〜２０３を備える。３つのコア２０１〜２０３は、ＭＣＦ２００の軸方向からみると、同心円上に等間隔に配置され、３回対称の回転対称に配置されている。
【０１２７】
コネクタ５２０は、図１２Ａに示すように、コア２０１〜２０３のうち、いずれか１つのコアに対して光信号の挿入／分岐を行い、他のコアに対して光信号を中継する。コア２０１に対して光信号の挿入／分岐を行う場合のコネクタ５２０とＭＣＦ２００との取り付け位置に対して、ＭＣＦ２００の軸方向（紙面に対し奥行き方向）に対してＭＣＦの中心軸を中心として時計回りに１２０度回転させた位置にコネクタ５１０を取り付けると、コア配置の回転対称性により、コネクタ５２０は、コア２０２に対して光信号の挿入／分岐を行うことができる。更に、コネクタ５２０をＭＣＦ２００の軸方向に対してＭＣＦの中心軸を中心として２４０度回転させた位置に取り付けると、コネクタ５１０は、コア２０３に対して光信号の挿入／分岐を行うことができる。
【０１２８】
第１の実施形態と同様に、コネクタ５２０をＭＣＦ２００に取り付ける際にＭＣＦ２００の軸方向に対してコネクタ５２０の回転角度をユーザが容易に把握できるようにしてもよい。例えば、ＭＣＦ２００の皮膜に目印となる線やマーク、溝、突起を軸方向に沿ってつけて基準となる位置が分かるようにしてもよい。基準となる位置は、例えばコア２０１の位置が把握できる位置である。
【０１２９】
図１２Ｂは、コネクタ５２０に２つのＭＣＦ２００を接続した際の光信号の扱いを示す図である。図１２Ｂには、コネクタ５２０を図７の通信システム１００ＤにおけるＡｄｄ／Ｄｒｏｐノード１２０−２に用いた場合が示されている。すなわち、コネクタ１８５−２に代えてコネクタ５２０を用いた場合が示されている。コネクタ５２０は、ＭＣＦ２００−２とＭＣＦ２００−３とに接続される。
【０１３０】
コネクタ５２０は、ＭＣＦ２００−２のコア２０２−２から光信号を分岐し、分岐した光信号を送受信装置１２５−２へ接続する。コネクタ５２０は、送受信装置１２５−２により生成される送受信ノード１１０ａへの光信号を、ＭＣＦ２００−２のコア２０２−２へ挿入する。また、コネクタ５２０は、ＭＣＦ２００−３のコア２０２−３から光信号を分岐し、分岐した光信号を送受信装置１２６−２へ接続する。コネクタ５２０は、送受信装置１２６−２により生成される送受信ノード１１０ｂへの光信号を、ＭＣＦ２００−３のコア２０３−３へ挿入する。また、コネクタ５１０は、ＭＣＦ２００−２の基準となる位置と、ＭＣＦ２００−３の基準となる位置とを合わせた際に、対向するそれぞれのコア２０１〜２０３のうちＡｄｄ／Ｄｒｏｐの対象となるコア以外のコア２０１、２０３における光信号を中継する。
【０１３１】
コネクタ５２０をＭＣＦ２００に取り付ける際に、ＭＣＦ２００の軸方向に対してコネクタ５２０を所定の角度回転させることにより、Ａｄｄ／Ｄｒｏｐの対象となるコアをコネクタ５２０に選択させることができる。Ａｄｄ／Ｄｒｏｐの対象となるコアがノードごとに異なる場合には、ＭＣＦ２００の軸方向に対してノードごとに異なる角度回転でコネクタ５２０をＭＣＦ２００に取り付けることにより、各ノードにおいて同じくコネクタ５２０を用いて、所望のコアに対して光信号のＡｄｄ／Ｄｒｏｐを行うことができる。また、コア単位で光信号のＡｄｄ／Ｄｒｏｐを行うことにより、多重化された波長の異なる光信号を波長ごとに分ける処理などが不要となるため、各Ａｄｄ／Ｄｒｏｐノードにおける装置の設置や保守の手間を削減できる。
【０１３２】
本実施形態ではマルチコアファイバにおけるコアの配置の一例と、コアの配置に応じたコネクタの構成例とを示した。前述の例に限ることなく、複数のＡｄｄ／Ｄｒｏｐノードがある場合であってもコネクタをマルチコアファイバに取り付ける回転角度に応じて各Ａｄｄ／Ｄｒｏｐノードに割り当てられたコアを選択できればよい。Ａｄｄ／Ｄｒｏｐノードがｎノードある場合には、ｎ個の異なる回転角度それぞれで、Ａｄｄ／Ｄｒｏｐの対象となるコアが選択され、他のコアにおける光信号がマルチコアファイバ間で中継されるように、マルチコアファイバにおいてコアが配置されていればよい。その際、コネクタはマルチコアファイバ間の中継が行えるように一部ノードでのみ用いる光信号の中継構造を備えてもよい。
【０１３３】
上述のように、第１及び第２の実施形態における通信システムのＡｄｄ／Ｄｒｏｐノードに備えられるコネクタは、それぞれ同じ構成を有している。例えば、コネクタそれぞれは、自身が備えられている自ノードに隣接する第１のノードと自ノードとを接続する第１のＭＣＦと、第１のノードと逆側に隣接する第２のノードと自ノードとを接続する第２のＭＣＦとを接続する構成を有している。また、コネクタは、第１及び第２のＭＣＦの中心軸方向に対して基準となる位置からノードそれぞれで異なる角度だけ回転した位置で第１及び第２のＭＣＦに取り付けられる。コネクタは、ＭＣＦに取り付けられた角度に応じて選択されたコアに対して光信号の挿入又は分岐を行い、他のコアに対して光信号の中継を行う構成を有している。また、コネクタは、自ノードと他のノードとの通信を伝送するコアに対して光信号を挿入又は分岐する接続部と、第１のＭＣＦと第２のＭＣＦとの間において他のノード間の通信に対して割り当てられたコアにより伝送される信号を中継する信号中継部とを備える。例えば、図１２Ａ及び図１２Ｂに示したコネクタ５２０において、接続部は、コア２０２−２から送受信装置１２５−２へ光信号を接続する構成であり、信号中継部は、コア２０１−２とコア２１０−３とを接続して光信号を両コア間において中継する構成である。
【０１３４】
［第３の実施形態］
第３の実施形態におけるコネクタは、第１及び第２の実施形態におけるコネクタと異なり、マルチコアファイバにおけるコア配置に依存せずに、各ノードにおいて使用できる同じ構成を有するコネクタである。図１３は、第３の実施形態におけるコネクタ５３０の構成を示す図である。コネクタ５３０は、図６に示した通信システム１００Ａと同じリング型の物理トポロジであり２つの送受信ノードそれぞれをルートノードとするツリー型の論理トポロジを有する通信システムにおいて用いられる。図１３には、通信システム１００Ａの各Ａｄｄ／Ｄｒｏｐノード１２０−１〜１２０−３にコネクタ５３０を用いた場合の各コネクタ５３０とＭＣＦ２１０−１〜２１０−４との接続が示されている。
【０１３５】
コネクタ５３０は、接続される２つのＭＣＦ２１０間において光信号の中継方法に特徴がある。コネクタ５３０は、いずれのＡｄｄ／Ｄｒｏｐノード１２０−１〜１２０−３においても、同じコアに対して自ノードに関する光信号のＡｄｄ／Ｄｒｏｐを行うことができる。ここでは、Ａｄｄ／Ｄｒｏｐノード１２０−２に備えられるコネクタ５３０−２に着目して説明を行うが、いずれのコネクタ５３０も同じ構成を有している。
【０１３６】
コネクタ５３０−２の送受信ノード１１０ａ側にはＭＣＦ２１０−２が接続され、コネクタ５３０−２の送受信ノード１１０ｂ側にはＭＣＦ２１０−３が接続されている。コネクタ５３０−２は、ＭＣＦ２１０−２の各コア２１１−２〜２１６−２及びＭＣＦ２１０−３の各コア２１１−３〜２１６−３それぞれと接続する接続点を備える。各接続点では、接続するコアに対して光信号の入力と出力が実施される。コネクタ５３０−２は、ＭＣＦ２１０−２の各コアに対する接続点１ａ〜１ｆと、ＭＣＦ２１０−３の各コアに対する接続点２ａ〜２ｆとを備える。
【０１３７】
コネクタ５３０−２において、接続点１ａは、ＭＣＦ２１０−２のコア２１１−２に接続し、送受信ノード１１０ａから自ノードへの光信号をコア２１１−２から分岐する。接続点１ａにより分岐される光信号は、Ａｄｄ／Ｄｒｏｐノード１２０−２に備えられる送受信装置１２５−２へコネクタ５３０−２を通じて接続される。接続点１ｂは、ＭＣＦ２１０−２のコア２１２−２に接続し、送受信ノード１１０ａからＡｄｄ／Ｄｒｏｐノード１２０−３への光信号をコア２１２−２から分岐する。接続点１ｂにより分岐される光信号は、接続点２ａへと接続されることで中継される。接続点１ｃは、ＭＣＦ２１０−２のコア２１３−２に接続し、Ａｄｄ／Ｄｒｏｐノード１２０−１から送受信ノード１１ｂへの光信号をコア２１３−２から分岐する。接続点１ｃにより分岐される光信号は、接続点２ｂへ接続されることで中継される。
【０１３８】
接続点１ｄは、ＭＣＦ２１０−２のコア２１４−２に接続する。接続点２ｅにより分岐される光信号であって送受信ノード１１０ｂからＡｄｄ／Ｄｒｏｐノード１２０−１への光信号は、接続点１ｄに接続されることでコア２１４−２へ中継される。接続点１ｅは、ＭＣＦ２１０−２のコア２１５−２に接続する。接続点２ｆにより分岐される光信号であってＡｄｄ／Ｄｒｏｐノード１２０−３から送受信ノード１１０ａへの光信号は、接続点１ｅに接続されることでコア２１５−２へ中継される。接続点１ｆは、ＭＣＦ２１０−２のコア２１６−２に接続し、送受信装置１２５−２により生成される光信号であって自ノードから送受信ノード１１０ａへの光信号をコア２１６−２へ挿入する。
【０１３９】
接続点２ａは、ＭＣＦ２１０−３のコア２１１−３に接続する。接続点１ｂにより分岐される光信号は、接続点２ａに接続されることでコア２１１−３へ中継される。接続点２ｂは、ＭＣＦ２１０−３のコア２１２−３と接続する。接続点１ｃにより分岐される光信号は、接続点２ｂに接続されることでコア２１１−３へ中継される。接続点２ｃは、ＭＣＦ２１０−３のコア２１２−３に接続し、自ノードに備えられる送受信装置１２６−２により生成される光信号であって自ノードから送受信ノード１１０ｂから自ノードへの光信号をコア２１３−３へ挿入する。
【０１４０】
接続点２ｄは、ＭＣＦ２１０−３のコア２１４−３に接続し、送受信ノード１１０ｂから自ノードへの光信号をコア２１４−３から分岐する。接続点２ｄにより分岐される光信号は、送受信装置１２６−２へコネクタ５３０−２を通じて接続される。接続点２ｅは、ＭＣＦ２１０−３のコア２１５−３に接続し、光信号をコア２１５−３から分岐する。接続点２ｅにより分岐される光信号は、接続点１ｄへ接続されることでコア２１４−１へ中継される。接続点２ｆは、ＭＣＦ２１０−３のコア２１６−３に接続し、光信号をコア２１６−３から分岐する。接続点２ｆで分岐される光信号は、接続点１ｅへ接続されることでコア２１５−２へ中継される。
【０１４１】
前述の構成を有するコネクタ５３０−２に接続されるＭＣＦ２１０−２、２１０−３において、コア２１１は、送受信ノード１１０ａから送受信ノード１１０ｂへ向かう第１の方向側に接続されるノードへの光信号を伝送する。コア２１２は、第１の方向の２つ先のノードへの光信号を伝送する。なお、図１３におけるコア２１２−４のように、第１の方向の２つ先のノードがない場合には、コア２１２は、第１の方向側に接続されるノードへの光信号を伝送する。
【０１４２】
コア２１３は、第１の方向の３つ先のノードへの光信号を伝送する。なお、図１３におけるコア２１３−３、２１３−４のように、第１の方向の３つ先のノードがない場合には、２つ先、１つ先のノードへの光信号を伝送する。コア２１４は、送受信ノード１１０ｂから送受信ノード１１０ａへ向かう第２の方向側に接続されるノードへの光信号を伝送する。
【０１４３】
コア２１５は、第２の方向の２つ先のノードへの光信号を伝送する。なお、図１３におけるコア２１５−１のように、第２の方向の２つ先のノードがない場合には、コア２１５は、第２の方向側に接続されるノードへの光信号を伝送する。コア２１６は、第２の方向の３つ先のノードへの光信号を伝送する。なお、図１３におけるコア２１６−１、２１６−２のように、第２の方向の３つ先のノードがない場合には、１つ先、２つ先のノードへの光信号を伝送する。
【０１４４】
上述の構成を備えるコネクタ５３０を各Ａｄｄ／Ｄｒｏｐノード１２０に備えることで、各Ａｄｄ／Ｄｒｏｐノード１２０は自ノードに関する光信号をＡｄｄ／Ｄｒｏｐでき、送受信ノード１１０ａ、１１０ｂと各Ａｄｄ／Ｄｒｏｐノード１２０との間の通信経路を形成することができる。各Ａｄｄ／Ｄｒｏｐノード１２０では、送受信ノード１１０ａ側のＭＣＦ２１０と送受信ノード１１０ｂ側のＭＣＦ２１０とを同じ構成のコネクタ５３０が接続する。コネクタ５３０でＭＣＦ２１０を接続することにより、Ａｄｄ／Ｄｒｏｐノード１２０ごとに構成の異なるコネクタを用意する必要がなくなり、コネクタに掛かるコストを削減することができる。また、各Ａｄｄ／Ｄｒｏｐノード１２０において用いるコネクタが同じになるため、ＭＣＦの接続に用いるコネクタを間違えるなどの人的なミスの発生を防ぐことができる。また、コア単位で光信号のＡｄｄ／Ｄｒｏｐを行うことにより、多重化された波長の異なる光信号を波長ごとに分ける処理などが不要となるため、各Ａｄｄ／Ｄｒｏｐノードにおける装置の設置や保守の手間を削減できる。
【０１４５】
［第４の実施形態］
第４の実施形態におけるコネクタは、第３の実施形態におけるコネクタと同様に、マルチコアファイバにおけるコア配置に依存せずに、各ノードにおいて使用できる同じ構成を有するコネクタである。図１４は、第４の実施形態におけるコネクタ５４０の構成を示す図である。コネクタ５４０は、図７に示した通信システム１００Ｄと同じリング型の物理トポロジであり２つの送受信ノードそれぞれをルートノードとするツリー型の論理トポロジを有する通信システムにおいて用いられる。第３の実施形態では、マルチコアファイバ中の１つのコアには一方向の光信号のみが伝送されていたが、本実施形態では１つのコアに伝送方向が異なる２つの光信号が伝送される。図１４には、通信システム１００Ｄの各Ａｄｄ／Ｄｒｏｐノード１２０−１〜１２０−３にコネクタ５４０を用いた場合の各コネクタ５４０とＭＣＦ２００−１〜２００−４との接続が示されている。
【０１４６】
コネクタ５４０は、接続される２つのＭＣＦ２００間におけるコアからコアへの光信号の中継方法に特徴がある。コネクタ５４０は、いずれのＡｄｄ／Ｄｒｏｐノード１２０−１〜１２０−３においても、同じコアに対して自ノードに関する光信号のＡｄｄ／Ｄｒｏｐを行うことができる。ここでは、Ａｄｄ／Ｄｒｏｐノード１２０−２に備えられるコネクタ５４０−２に着目して説明を行うが、いずれのコネクタ５４０も同じ構成を有している。
【０１４７】
コネクタ５４０−２の送受信ノード１１０ａ側にはＭＣＦ２００−２が接続され、コネクタ５４０−２の送受信ノード１１０ｂ側にはＭＣＦ２００−３が接続されている。コネクタ５４０−２は、ＭＣＦ２００−２の各コア２０１〜２０６及びＭＣＦ２００−３の各コア２０１〜２０６それぞれと接続する接続点を備える。各接続点では、接続するコアに対して光信号の入力と出力が実施される。コネクタ５４０−２は、ＭＣＦ２００−２の各コアに対する接続点１ａ〜１ｃと、ＭＣＦ２００−３の各コアに対する接続点２ａ〜２ｃとを備える。
【０１４８】
コネクタ５４０−２において、接続点１ａは、ＭＣＦ２００−２のコア２０１−２に接続し、送受信ノード１１０ａから自ノードへの光信号をコア２０１−２から分岐する。接続点１ａにより分岐される光信号は、Ａｄｄ／Ｄｒｏｐノード１２０−２に備えられる送受信装置１２５−２へコネクタ５４０−２を通じて接続される。また、接続点１ａは、送受信装置１２５−２により生成される光信号であって自ノードから送受信ノード１１０ａへの光信号をコア２０１−２へ挿入する。
【０１４９】
接続点１ｂは、ＭＣＦ２００−２のコア２０２−２に接続し、送受信ノード１１０ａからＡｄｄ／Ｄｒｏｐノード１２０−３への光信号をコア２０２−２から分岐する。接続点１ｂにより分岐される光信号は、接続点２ａへ接続されることで中継される。また、接続点１ｂは、接続点２ａにより分岐される光信号であってＡｄｄ／Ｄｒｏｐノード１２０−３から送受信ノード１１０ａへの光信号をコア２０２−２へ接続する。
【０１５０】
接続点１ｃは、ＭＣＦ２００−２のコア２０３−２に接続し、Ａｄｄ／Ｄｒｏｐノード１２０−１から送受信ノード１１０ｂへの光信号をコア２０３−２から分岐する。接続点１ｃにより分岐される光信号は、接続点２ｂへ接続されることで中継される。また、接続点１ｃは、接続点２ｂにより分岐される光信号であって送受信ノード１１０ｂからＡｄｄ／Ｄｒｏｐノード１２０−１への光信号をコア２０３−２へ接続する。
【０１５１】
接続点２ａは、ＭＣＦ２００−３のコア２０１−３に接続し、光信号をコア２０１−３から分岐する。接続点２ａにより分岐される光信号は、接続点１ｂへ接続されることで中継される。また、接続点２ａは、接続点１ｂにより分岐される光信号をコア２０１−３へ接続する。接続点２ｂは、ＭＣＦ２００−３のコア２０２−３に接続し、光信号をコア２０２−３から分岐する。接続点２ｂにより分岐される光信号は、接続点１ｃへ接続されることで中継される。また、接続点２ｂは、接続点１ｃにより分岐される光信号をコア２０２−３へ接続する。
【０１５２】
接続点２ｃは、ＭＣＦ２００−３のコア２０３−３に接続し、送受信ノード１１０ｂから自ノードへの光信号を分岐する。接続点２ｃにより分岐される光信号は、Ａｄｄ／Ｄｒｏｐノード１２０−２に備えられる送受信装置１２６−２へコネクタ５４０−２を通じて接続される。また、接続点２ｃは、送受信装置１２６−２により生成される光信号であって自ノードから送受信ノード１１０ｂへの光信号をコア２０３−３へ挿入する。
【０１５３】
前述の構成を有するコネクタ５４０−２に接続されるＭＣＦ２００−２、２００−３において、コア２０１は、送受信ノード１１０ａから送受信ノード１１０ｂへ向かう第１の方向側に接続されるノードと、送受信ノード１１０ｂから送受信ノード１１０ａへ向かう第２の方向の３つ先のノードとの通信における光信号を伝送する。なお、図１４におけるコア２０１−１、２０１−２のように、第２の方向の３つ先のノードがない場合には、１つ先、２つ先のノードと、第１の方向側に接続されるノードとの通信における光信号を伝送する。
【０１５４】
コア２０２は、第１の方向の２つ先のノードと第２の方向の２つ先のノードとの通信における光信号を伝送する。なお、図１４におけるコア２０２−４のように、第１の方向の２つ先のノードがない場合、コア２０２は、第１の方向側に接続されるノードと、第２の方向の２つ先のノードとの通信における光信号を伝送する。また、図１４におけるコア２０２−１のように、第２の方向の２つ先のノードがない場合、コア２０２は、第２の方向側に接続されるノードと、第１の方向の２つ先のノードとの通信における光信号を伝送する。
【０１５５】
コア２０３は、第１の方向の３つ先のノードと第２の方向側に接続されるノードとの通信における光信号を伝送する。なお、図１４におけるコア２０３−３、２０３−４のように、第１の方向の３つ先のノードがない場合には、２つ先、１つ先のノードと、第２の方向側に接続されるノードとの通信における光信号を伝送する。
【０１５６】
上述の構成を備えるコネクタ５４０を各Ａｄｄ／Ｄｒｏｐノード１２０に備えることで、各Ａｄｄ／Ｄｒｏｐノード１２０は自ノードに関する光信号をＡｄｄ／Ｄｒｏｐでき、送受信ノード１１０ａ、１１０ｂと各Ａｄｄ／Ｄｒｏｐノード１２０との間の通信経路を形成することができる。各Ａｄｄ／Ｄｒｏｐノード１２０では、送受信ノード１１０ａ側のＭＣＦ２００と送受信ノード１１０ｂ側のＭＣＦ２００とを同じ構成のコネクタ５４０が接続する。コネクタ５４０でＭＣＦ２００を接続することにより、コネクタに掛かるコストを削減することができ、ＭＣＦの接続に用いるコネクタを間違えるなどの人的なミスの発生を防ぐことができる。また、コア単位で光信号のＡｄｄ／Ｄｒｏｐを行うことにより、多重化された波長の異なる光信号を波長ごとに分ける処理などが不要となるため、各Ａｄｄ／Ｄｒｏｐノードにおける装置の設置や保守の手間を削減できる。
【０１５７】
第３及び第４の実施形態における通信システムのＡｄｄ／Ｄｒｏｐノードに備えられるコネクタは、それぞれ同じ構成を有している。例えば、コネクタそれぞれは、自身が備えられている自ノードに隣接する第１のノードと自ノードとを接続する第１のＭＣＦと、第１のノードと逆側に隣接する第２のノードと自ノードとを接続する第２のＭＣＦとを接続する構成を有している。また、コネクタは、送受信ノードと自ノードとの通信における光信号を第１のＭＣＦの第１のコアに対して挿入又は分岐する第１の接続点と、送受信ノードと第２のノードとの通信における光信号を第１のＭＣＦの第２のコアに対して挿入又は分岐する第２の接続点と、第２の接続点で挿入又は分岐される光信号を第２のＭＣＦの第１のコアに対して挿入又は分岐する第３の接続点とを備える。ここで、第２のＭＣＦの第１のコアは、第２のノードでみたときの第１のＭＣＦの第１のコアである。また、コネクタは、自ノードと他のノードとの通信を伝送するコアに対して光信号を挿入又は分岐する接続部と、第１のＭＣＦと第２のＭＣＦとの間において他のノード間の通信に対して割り当てられたコアにより伝送される信号を中継する信号中継部とを備える。例えば、図１４に示したコネクタ５４０−１において、接続部は、コア２０１−１から送受信装置へ光信号を接続する接続点１ａを含む構成であり、信号中継部は、コア２０２−１とコア２０１−２とを接続して光信号を両コア間において中継する接続点１ｂ、２ａを含む構成である。
【０１５８】
［第５の実施形態］
図１５Ａ及び図１５Ｂは、第５の実施形態における通信システム５００とコネクタ５５０との構成を示す図である。図１５Ａには、第５の実施形態における通信システム５００の物理トポロジが示されている。通信システムは、４つのＡｄｄ／Ｄｒｏｐノード１２０−１〜１２０−４を備え、Ａｄｄ／Ｄｒｏｐノード１２０間をＭＣＦ２００で接続したリング型の物理トポロジを有している。通信システム５００の物理トポロジは、図８に示した通信システム１００Ｅと同じ物理トポロジである。また、通信システム５００の論理トポロジも、通信システム１００Ｅと同じ物理トポロジであり、Ａｄｄ／Ｄｒｏｐノード１２０それぞれの間に通信経路が設けられた完全メッシュ型の論理トポロジである。Ａｄｄ／Ｄｒｏｐノード１２０間を接続するＭＣＦ２００は、３つのコア２０１〜２０３を備える。コア２０１〜２０３は、第４の実施形態におけるコア２０１〜２０３と同様に、同一コアで伝送方向が異なる光信号を伝送する。
【０１５９】
図１５Ｂには、通信システム５００の各Ａｄｄ／Ｄｒｏｐノード１２０−１〜１２０−４にコネクタ５５０を用いた場合の各コネクタ５５０とＭＣＦ２００−１〜２００−４との接続が示されている。コネクタ５５０は、第３及び第４の実施形態におけるコネクタと同様に、接続される２つのＭＣＦ２００間におけるコアからコアへの光信号の中継方法に特徴がある。コネクタ５５０は、いずれのＡｄｄ／Ｄｒｏｐノード１２０−１〜１２０−４においても、同じコアに対して自ノードに関する光信号のＡｄｄ／Ｄｒｏｐを行うことができる。ここでは、Ａｄｄ／Ｄｒｏｐノード１２０−３に備えられるコネクタ５５０−３に着目して説明を行うが、いずれのコネクタ５５０も同じ構成を有している。
【０１６０】
Ａｄｄ／Ｄｒｏｐノード１２０−３において、通信システム５００の各ノードを接続するリング形状における時計回り方向である第１の方向側には、ＭＣＦ２００−３を介してＡｄｄ／Ｄｒｏｐノード１２０−２が接続されている。反時計回り方向である第２の方向側には、ＭＣＦ２００−４を介してＡｄｄ／Ｄｒｏｐノード１２０−４が接続されている。コネクタ５５０−３は、第１の方向側のＭＣＦ２００−３と、第２の方向側のＭＣＦ２００−４とに接続されている。コネクタ５５０−３は、ＭＣＦ２００−３の各コア２０１−３〜２０３−３及びＭＣＦ２００−４の各コア２０１−４〜２０３−４それぞれと接続する接続点を備える。各接続点では、接続するコアに対して光信号の入力と出力が実施される。コネクタ５５０−３は、ＭＣＦ２００−３の各コアに対する接続点１ａ〜１ｃと、ＭＣＦ２００−４の各コアに対する接続点２ａ〜２ｃとを備える。
【０１６１】
コネクタ５５０−３において、接続点１ａは、ＭＣＦ２００−３のコア２０１−３に接続する。接続点１ａは、自ノードの第１の方向側に接続されたＡｄｄ／Ｄｒｏｐノード１２０−２から自ノードの第２の方向側に接続されたＡｄｄ／Ｄｒｏｐノード１２０−４への光信号をコア２０１−３から分岐する。接続点１ａにより分岐される光信号は、接続点２ｂへ接続されることでコア２０１−４へ中継される。また、接続点１ａは、接続点２ｂにより分岐される光信号であってＡｄｄ／Ｄｒｏｐノード１２０−４からＡｄｄ／Ｄｒｏｐノード１２０−２への光信号をコア２０１−３へ接続する。
【０１６２】
接続点１ｂは、ＭＣＦ２００−３のコア２０２−３に接続する。接続点１ｂは、自ノードから第１の方向へ２つ先のＡｄｄ／Ｄｒｏｐノード１２０−１から自ノードへの光信号をコア２０２−３から分岐する。接続点１ｂにより分岐される光信号は、Ａｄｄ／Ｄｒｏｐノード１２０−３に備えられる送受信装置へ接続される。また、接続点１ｂは、送受信装置により生成される光信号であって自ノードからＡｄｄ／Ｄｒｏｐノード１２０−１への光信号をコア２０２−３へ挿入する。
【０１６３】
接続点１ｃは、ＭＣＦ２００−３のコア２０３−３に接続する。接続点１ｃは、自ノードの第１の方向に接続されたＡｄｄ／Ｄｒｏｐノード１２０−２から自ノードへの光信号を分岐する。接続点１ｃにより分岐される光信号は、自ノードの送受信装置へ接続される。また、接続点１ｃは、送受信装置により生成される光信号であって自ノードからＡｄｄ／Ｄｒｏｐノード１２０−２への光信号をコア２０３−３へ挿入する。
【０１６４】
接続点２ａは、ＭＣＦ２００−４のコア２０１−４に接続する。接続点２ａは、自ノードの送受信装置により生成される光信号であって自ノードから第２の方向へ２つ先のＡｄｄ／Ｄｒｏｐノード１２０−１への光信号をコア２０１−４へ挿入する。また、接続点２ａは、Ａｄｄ／Ｄｒｏｐノード１２０−１から自ノードへの光信号をコア２０１−４から分岐する。接続点２ａにより分岐される光信号は、自ノードの送受信装置へ接続される。
【０１６５】
接続点２ｂは、ＭＣＦ２００−４のコア２０２−４に接続する。接続点１ａにより分岐される光信号は、接続点２ｂに接続されることでコア２０２−４へ中継される。また、接続点２ｂは、自ノードの第２の方向に接続されたＡｄｄ／Ｄｒｏｐノード１２０−４から自ノードの第１の方向に接続されたＡｄｄ／Ｄｒｏｐノード１２０−２への光信号をコア２０２−４から分岐する。接続点２ｂにより分岐される光信号は、接続点１ａへ接続されることでコア２０１−３へ中継される。
【０１６６】
接続点２ｃは、ＭＣＦ２００−４のコア２０３−４に接続する。接続点２ｃは、自ノードの送受信装置により生成される光信号であって自ノードの第２の方向側に接続されたＡｄｄ／Ｄｒｏｐノード１２０−４への光信号をコア２０３−４へ挿入する。また、接続点２ｃは、Ａｄｄ／Ｄｒｏｐノード１２０−４から自ノードへの光信号をコア２０３−４から分岐する。接続点２ｃにより分岐された光信号は、自ノードの送受信装置へ接続される。
【０１６７】
前述の構成を有するコネクタ５５０−３に接続されるＭＣＦ２００−３、２００−４において、コア２０１は、第１の方向に接続されるノードと第２の方向の２つ先のノードとの通信における光信号を伝送する。コア２０２は、第１の方向の２つ先のノードと第２の方向に接続されるノードとの通信における光信号を伝送する。コア２０３は、第１の方向に接続されるノードと第２の方向に接続されるノードとの通信における光信号を伝送する。なお、すべてのノードにおいて用いられるコネクタ５５０は、同じ構造を有し、それぞれのノードで光信号の挿入、分岐及び中継を行う。図１５Ｂにおいて、各コネクタ５５０内の矢印がない線で示された経路は、本実施形態では通信に使用されていない経路を示している。例えば、コネクタ５５０−３では、接続点２ａに接続する経路は通信において使用されていない経路になる。これは、コネクタ５５０が同一構造を有するため、通信経路として必要な経路数以上の通信経路を形成されるからである。なお、使用していない経路を通信経路として用いてもよい。
【０１６８】
上述の構成を備えるコネクタ５５０を各Ａｄｄ／Ｄｒｏｐノード１２０に備えることで、各Ａｄｄ／Ｄｒｏｐノード１２０は自ノードと他のＡｄｄ／Ｄｒｏｐノード１２０との通信における光信号をＡｄｄ／Ｄｒｏｐでき、各Ａｄｄ／Ｄｒｏｐノード１２０間の通信経路を形成することができる。各Ａｄｄ／Ｄｒｏｐノード１２０では、第１の方向側に接続するＭＣＦ２００と第２の方向側に接続するＭＣＦ２００とを同じ構成のコネクタ５５０が接続する。コネクタ５５０でＭＣＦ２００を接続することにより、コネクタに掛かるコストを削減することができ、ＭＣＦの接続に用いるコネクタを間違えるなどの人的なミスの発生を防ぐことができる。また、コア単位で光信号のＡｄｄ／Ｄｒｏｐを行うことにより、多重化された波長の異なる光信号を波長ごとに分ける処理などが不要となるため、各Ａｄｄ／Ｄｒｏｐノードにおける装置の設置や保守の手間を削減できる。
【０１６９】
［第６の実施形態］
第５の実施形態では、１つのコアで伝送方向が異なる信号を伝送する双方向の通信を行う通信システムに用いられるコネクタを説明した。第６の実施形態では、１つのコアで１方向の光信号を伝送する通信システムで用いられるコネクタを説明する。図１６は、第６の実施形態における各Ａｄｄ／Ｄｒｏｐノード１２０のコネクタ５６０とＭＣＦ２２０との接続を示す図である。なお、第６の実施形態における通信システムは、第５の実施形態における通信システムと同様に、４つのＡｄｄ／Ｄｒｏｐノード１２０−１〜１２０−４を備える。第６の実施形態における通信システムは、リング型の物理トポロジを有し、完全メッシュ型の論理トポロジを有する。Ａｄｄ／Ｄｒｏｐノード１２０間を接続するＭＣＦ２２０は、４つのコア２２１〜２２４を備える。Ａｄｄ／Ｄｒｏｐノード１２０−１〜１２０−４それぞれには、コネクタ５６０が備えられる。ここでは、Ａｄｄ／Ｄｒｏｐノード１２０−３に備えられるコネクタ５６０−３に着目して説明を行うが、いずれのコネクタ５６０も同じ構成を有している。
【０１７０】
Ａｄｄ／Ｄｒｏｐノード１２０−３において、通信システムの各ノードを接続するリング形状における時計回り方向である第１の方向側には、ＭＣＦ２２０−３を介してＡｄｄ／Ｄｒｏｐノード１２０−２が接続されている。反時計回り方向である第２の方向側には、ＭＣＦ２２０−４を介してＡｄｄ／Ｄｒｏｐノード１２０−４が接続されている。コネクタ５６０−３は、第１の方向側のＭＣＦ２２０−３と、第２の方向側のＭＣＦ２２０−４とに接続されている。コネクタ５６０−３は、ＭＣＦ２２０−３の各コア２２１−３〜２２４−３及びＭＣＦ２２０−４の各コア２２１−４〜２２４−４それぞれと接続する接続点を備える。各接続点では、接続するコアに対して光信号の入力と出力が実施される。コネクタ５６０−３は、ＭＣＦ２２０−３の各コアに対する接続点１ａ〜１ｄと、ＭＣＦ２２０−４の各コアに対する接続点２ａ〜２ｄとを備える。
【０１７１】
コネクタ５６０−３において、接続点１ａは、ＭＣＦ２２０−３のコア２２１−３と接続する。接続点１ａは、自ノードの第１の方向側に接続されたＡｄｄ／Ｄｒｏｐノード１２０−２から第２の方向側に接続されたＡｄｄ／Ｄｒｏｐノード１２０−４への光信号をコア２２１−３から分岐する。接続点１ａにより分岐される光信号は、接続点２ｂへ接続されることで中継される。接続点１ｂは、ＭＣＦ２２０−３のコア２２２−３と接続する。接続点１ｂは、自ノードから第１の方向へ２つ先のＡｄｄ／Ｄｒｏｐノード１２０−１から自ノードへの光信号を分岐する。接続点１ｂにより分岐される光信号は、自ノードの送受信装置へ接続される。
【０１７２】
接続点１ｃは、ＭＣＦ２２０−３のコア２２３−３と接続する。接続点１ｃは、自ノードの送受信装置により生成される光信号であって自ノードから第１の方向側に接続するＡｄｄ／Ｄｒｏｐノード１２０−２への光信号をコア２２３−３へ挿入する。接続点１ｄは、ＭＣＦ２２０−３のコア２２４−３と接続する。接続点１ｄは、自ノードの第１の方向側に接続するＡｄｄ／Ｄｒｏｐノード１２０−２から自ノードへの光信号を分岐する。接続点１ｄにより分岐される光信号は、自ノードの送受信装置へ接続される。
【０１７３】
接続点２ａは、ＭＣＦ２２０−４のコア２２１−４と接続する。接続点２ａは、自ノードの送受信装置により生成される光信号であって自ノードから第２の方向へ２つ先のＡｄｄ／Ｄｒｏｐノード１２０−１への光信号をコア２２１−４へ挿入する。接続点２ｂは、ＭＣＦ２２０−４のコア２２２−４と接続する。接続点２ｂは、接続点１ａにより分岐される光信号をコア２２２−４へ接続する。
【０１７４】
接続点２ｃは、ＭＣＦ２２０−４のコア２２３−４と接続する。接続点２ｃは、第２の方向側に接続されたＡｄｄ／Ｄｒｏｐノード１２０−４から自ノードへの光信号を分岐する。接続点２ｃにより分岐される光信号は、自ノードの送受信装置へ接続される。接続点２ｄは、ＭＣＦ２２０−４のコア２２４−４と接続する。接続点２ｄは、自ノードの送受信装置により生成される光信号であって第２の方向側に接続されたＡｄｄ／Ｄｒｏｐノード１２０−４への光信号をコア２２４−４へ挿入する。
【０１７５】
前述の構成を有するコネクタ５６０−３に接続されるＭＣＦ２２０−３、２２０−４において、コア２２１は、第１の方向側に接続されたノードから第２の方向の２つ先のノードへの光信号を伝送する。コア２２２は、第１の方向の２つ先のノードから第２の方向側に接続されたノードへの光信号を伝送する。コア２２３は、第２の方向側に接続されたノードから第１の方向側に接続されたノードへの光信号を伝送する。コア２２４は、第１の方向側に接続されたノードから第２の方向側に接続されたノードへの光信号を伝送する。
【０１７６】
前述の構成を備えるコネクタ５６０を各Ａｄｄ／Ｄｒｏｐノード１２０に備えることで、各Ａｄｄ／Ｄｒｏｐノード１２０は自ノードと他のＡｄｄ／Ｄｒｏｐノード１２０との通信における光信号をＡｄｄ／Ｄｒｏｐでき、各Ａｄｄ／Ｄｒｏｐノード１２０間の通信経路を形成することができる。各Ａｄｄ／Ｄｒｏｐノード１２０では、第１の方向側に接続するＭＣＦ２２０と第２の方向側に接続するＭＣＦ２２０とを同じ構成のコネクタ５６０が接続する。コネクタ５６０でＭＣＦ２２０を接続することにより、コネクタに掛かるコストを削減することができ、ＭＣＦの接続に用いるコネクタを間違えるなどの人的なミスの発生を防ぐことができる。また、コア単位で光信号のＡｄｄ／Ｄｒｏｐを行うことにより、多重化された波長の異なる光信号を波長ごとに分ける処理などが不要となるため、各Ａｄｄ／Ｄｒｏｐノードにおける装置の設置や保守の手間を削減できる。
【０１７７】
［第７の実施形態］
第５の実施形態ではＡｄｄ／Ｄｒｏｐノード間の送受信の通信経路が１つ設けられた通信システムで用いられるコネクタを説明した。また、第６の実施形態ではＡｄｄ／Ｄｒｏｐノード間の送信の通信経路と受信の通信経路とがそれぞれ１つ設けられた通信システムで用いられるコネクタを説明した。これに対して、第７の実施形態では、第５及び第６の通信システムと同じ物理トポロジを有し、ノード間の通信経路が二重化された完全メッシュ型の論理トポロジを有する通信システムにおいて用いられるコネクタの構成を説明する。図１７は、第７の実施形態における各Ａｄｄ／Ｄｒｏｐノード１２０のコネクタ５７０とＭＣＦ２１０との接続を示す図である。Ａｄｄ／Ｄｒｏｐノード１２０間を接続するＭＣＦ２１０は６つのコア２１１〜２１６を有する。ここでは、Ａｄｄ／Ｄｒｏｐノード１２０−３に備えられるコネクタ５７０−３に着目して説明を行うが、いずれのコネクタ５７０も同じ構成を有している。
【０１７８】
Ａｄｄ／Ｄｒｏｐノード１２０−３において、通信システムの各ノードを接続するリング形状における時計回り方向である第１の方向側には、ＭＣＦ２１０−３を介してＡｄｄ／Ｄｒｏｐノード１２０−２が接続されている。反時計回り方向である第２の方向側には、ＭＣＦ２１０−４を介してＡｄｄ／Ｄｒｏｐノード１２０−４が接続されている。コネクタ５７０−３は、第１の方向側のＭＣＦ２１０−３と、第２の方向側のＭＣＦ２１０−３とに接続されている。コネクタ５７０−３は、ＭＣＦ２１０−３の各コア２１１〜２１６及びＭＣＦ２１０−４の各コア２１１〜２１６それぞれと接続する接続点を備える。各接続点では、接続するコアに対して光信号の入力と出力が実施される。コネクタ５６０−３は、ＭＣＦ２１０−３の各コアに対する接続点１ａ〜１ｆと、ＭＣＦ２１０−４の各コアに対する接続点２ａ〜２ｆとを備える。
【０１７９】
コネクタ５７０−３において、接続点１ａは、ＭＣＦ２１０−３のコア２１１−３と接続する。接続点１ａは、自ノードの第１の方向側に接続されるＡｄｄ／Ｄｒｏｐノード１２０−２から自ノードへの光信号をコア２１１−３から分岐する。接続点１ａにより分岐される光信号は、自ノードに備えられる送受信装置へ接続される。また、接続点１ａは、自ノードに備えられる送受信装置により生成される光信号であって自ノードからＡｄｄ／Ｄｒｏｐノード１２０−２への光信号をコア２１１−３へ挿入する。
【０１８０】
接続点１ｂは、ＭＣＦ２１０−３のコア２１２−３と接続する。接続点１ｂは、自ノードから第１の方向へ２つ先のＡｄｄ／Ｄｒｏｐノード１２０−１から自ノードへの光信号をコア２１２−３から分岐する。接続点１ｂにより分岐される光信号は、自ノードに備えられる送受信装置へ接続される。また、接続点１ｂは、自ノードの送受信装置により生成される光信号であって自ノードからＡｄｄ／Ｄｒｏｐノード１２０−１への光信号をコア２１２−３へ挿入する。
【０１８１】
接続点１ｃは、ＭＣＦ２１０−３のコア２１３−３と接続する。接続点１ｃは、自ノードの第１の方向側に接続されたＡｄｄ／Ｄｒｏｐノード１２０−２から自ノードの第２の方向側に接続されたＡｄｄ／Ｄｒｏｐノード１２０−４への光信号をコア２１３−３から分岐する。接続点１ｃにより分岐される光信号は、接続点２ｂへ接続されることでコア２１２−４へ中継される。また、接続点１ｃは、接続点２ｂにより分岐される光信号であってＡｄｄ／Ｄｒｏｐノード１２０−４からＡｄｄ／Ｄｒｏｐノード１２０−２への光信号をコア２１３−３へ接続する。
【０１８２】
接続点１ｄは、ＭＣＦ２１０−３のコア２１４−３と接続する。接続点１ｄは、自ノードから第１の方向へ３つ先のＡｄｄ／Ｄｒｏｐノード１２０−４から自ノードへの光信号をコア２１４−３から分岐する。接続点１ｄにより分岐される光信号は、自ノードの送受信装置へ接続される。また、接続点１ｄは、自ノードの送受信装置により生成される光信号であって自ノードからＡｄｄ／Ｄｒｏｐノード１２０−４への光信号をコア２１４−３へ挿入する。
【０１８３】
接続点１ｅは、ＭＣＦ２１０−３のコア２１５−３と接続する。接続点１ｅは、自ノードから第１の方向へ２つ先のＡｄｄ／Ｄｒｏｐノード１２０−１から第２の方向側に接続するＡｄｄ／Ｄｒｏｐノード１２０−４への光信号をコア２１５−３から分岐する。接続点１ｅにより分岐される光信号は、接続点２ｄへ接続されることでコア２１４−４へ中継される。また、接続点１ｅは、接続点２ｄにより分岐される光信号であってＡｄｄ／Ｄｒｏｐノード１２０−４からＡｄｄ／Ｄｒｏｐノード１２０−１への光信号をコア２１５−３へ接続する。
【０１８４】
接続点１ｆは、ＭＣＦ２１０−３のコア２１６−３と接続する。接続点１ｆは、自ノードの第１の方向側に接続されたＡｄｄ／Ｄｒｏｐノード１２０−２から、自ノードから第２の方向へ２つ先のＡｄｄ／Ｄｒｏｐノード１２０−１への光信号を分岐する。接続点１ｆにより分岐される光信号は、接続点２ｅへ接続されることでコア２１５−４へ中継される。また、接続点１ｆは、接続点２ｅにより分岐される光信号であって自ノードから第２の方向へ２つ先のＡｄｄ／Ｄｒｏｐノード１２０−１から第１の方向側に接続されたＡｄｄ／Ｄｒｏｐノード１２０−２への光信号をコア２１６−３へ接続する。
【０１８５】
接続点２ａは、ＭＣＦ２１０−４のコア２１１−４と接続する。接続点２ａは、自ノードの送受信装置により生成される光信号であって自ノードの第２の方向側に接続されたＡｄｄ／Ｄｒｏｐノード１２０−４への光信号をコア２１１−４へ挿入する。また、接続点２ａは、Ａｄｄ／Ｄｒｏｐノード１２０−４から自ノードへの光信号をコア２１１−４から分岐する。接続点２ａにより分岐された光信号は、自ノードの送受信装置へ接続される。
【０１８６】
接続点２ｂは、ＭＣＦ２１０−４のコア２１２−４と接続する。接続点２ｂは、自ノードの第２の方向側に接続されたＡｄｄ／Ｄｒｏｐノード１２０−４から自ノードの第１の方向側に接続されたＡｄｄ／Ｄｒｏｐノード１２０−２への光信号を分岐する。接続点２ｂにより分岐される光信号は、接続点１ｃへ接続されることでコア２１３−３へ中継される。また、接続点２ｂは、接続点１ｃにより分岐される光信号をコア２１２−４へ接続する。
【０１８７】
接続点２ｃは、ＭＣＦ２１０−４のコア２１３−４と接続する。接続点２ｃは、自ノードの送受信装置により生成される光信号であって自ノードから第２の方向へ２つ先のＡｄｄ／Ｄｒｏｐノード１２０−１への光信号をコア２１３−４へ挿入する。また、接続点２ｃは、Ａｄｄ／Ｄｒｏｐノード１２０−１から自ノードへの光信号をコア２１３−４から分岐する。接続点２ｃにより分岐される光信号は、自ノードの送受信装置へ接続される。
【０１８８】
接続点２ｄは、ＭＣＦ２１０−４のコア２１４−４と接続する。接続点２ｄは、自ノードの第２の方向側に接続されたＡｄｄ／Ｄｒｏｐノード１２０−４から、自ノードから第１の方向へ２つ先のＡｄｄ／Ｄｒｏｐノード１２０−１への光信号を分岐する。接続点２ｄにより分岐される光信号は、接続点１ｅへ接続されることでコア２１５−３へ中継される。また、接続点２ｄは、接続点１ｅにより分岐される光信号をコア２１４−４へ接続する。
【０１８９】
接続点２ｅは、ＭＣＦ２１０−４のコア２１５−４と接続する。接続点２ｅは、自ノードから第２の方向へ２つ先のＡｄｄ／Ｄｒｏｐノード１２０−１から自ノードの第１の方向側に接続されたＡｄｄ／Ｄｒｏｐノード１２０−２への光信号を分岐する。接続点２ｅにより分岐される光信号は、接続点１ｆへ接続されることでコア２１６−３へ中継される。また、接続点２ｅは、接続点１ｆにより分岐される光信号をコア２１５−４へ接続する。
【０１９０】
接続点２ｆは、ＭＣＦ２１０−４のコア２１６−４と接続する。接続点２ｆは、自ノードから第２の方向へ３つ先のＡｄｄ／Ｄｒｏｐノード１２０−２から自ノードへの光信号をコア２１６−４から分岐する。接続点２ｆにより分岐される光信号は、自ノードの送受信装置へ接続される。また、接続点２ｆは、自ノードの送受信装置により生成される光信号であってＡｄｄ／Ｄｒｏｐノード１２０−２への光信号をコア２１６−４へ挿入する。
【０１９１】
前述の構成を有するコネクタ５７０−３に接続されるＭＣＦ２１０−３、２１０−４において、コア２１１は、第１の方向側に接続されたノードと第２の方向側に接続されたノードとの通信における光信号を伝送する。コア２１２は、第１の方向へ２つ先のノードと第２の方向側に接続されたノードとの通信における光信号を伝送する。コア２１３は、第１の方向側に接続されたノードと第２の方向へ２つ先のノードとの通信における光信号を伝送する。コア２１４は、第１の方向へ３つ先のノードと第２の方向側に接続されたノードとの通信における光信号を伝送する。コア２１５は、第１の方向へ２つ先のノードと第２の方向へ２つ先のノードとの通信における光信号を伝送する。コア２１６は、第１の方向側に接続されたノードと第２の方向へ３つ先のノードとの通信における光信号を伝送する。
【０１９２】
前述の構成を備えるコネクタ５７０を各Ａｄｄ／Ｄｒｏｐノード１２０に備えることで、各Ａｄｄ／Ｄｒｏｐノード１２０は自ノードと他のＡｄｄ／Ｄｒｏｐノード１２０との通信における光信号をＡｄｄ／Ｄｒｏｐでき、各Ａｄｄ／Ｄｒｏｐノード１２０間の通信経路を形成することができる。各Ａｄｄ／Ｄｒｏｐノード１２０では、第１の方向側に接続するＭＣＦ２１０と第２の方向側に接続するＭＣＦ２１０とを同じ構成のコネクタ５７０が接続する。コネクタ５７０でＭＣＦ２１０を接続することにより、コネクタに掛かるコストを削減することができ、ＭＣＦの接続に用いるコネクタを間違えるなどの人的なミスの発生を防ぐことができる。また、コア単位で光信号のＡｄｄ／Ｄｒｏｐを行うことにより、多重化された波長の異なる光信号を波長ごとに分ける処理などが不要となるため、各Ａｄｄ／Ｄｒｏｐノードにおける装置の設置や保守の手間を削減できる。
【０１９３】
［第８の実施形態］
第７の実施形態では、１つのコアで伝送方向が異なる信号を伝送する双方向の通信を行う通信システムに用いられるコネクタを説明した。第８の実施形態では、第７の実施形態の通信システムと同じ物理トポロジ及び論理トポロジを有する通信システムであって１つのコアで１方向の光信号のみを伝送する通信システムで用いられるコネクタを説明する。図１８は、第８の実施形態における各Ａｄｄ／Ｄｒｏｐノード１２０のコネクタ５８０とＭＣＦ２３０との接続を示す図である。Ａｄｄ／Ｄｒｏｐノード１２０間を接続するＭＣＦ２３０は、１２個のコア２３１〜２４２を備える。Ａｄｄ／Ｄｒｏｐノード１２０−１〜１２０−４それぞれには、コネクタ５８０が備えられる。ここでは、Ａｄｄ／Ｄｒｏｐノード１２０−３に備えられるコネクタ５８０−３に着目して説明を行うが、いずれのコネクタ５８０も同じ構成を有している。
【０１９４】
Ａｄｄ／Ｄｒｏｐノード１２０−３において、通信システムの各ノードを接続するリング形状における時計回り方向である第１の方向側には、ＭＣＦ２３０−３を介してＡｄｄ／Ｄｒｏｐノード１２０−２が接続されている。反時計回り方向である第２の方向側には、ＭＣＦ２３０−４を介してＡｄｄ／Ｄｒｏｐノード１２０−４が接続されている。コネクタ５８０−３は、第１の方向側のＭＣＦ２３０−３と、第２の方向側のＭＣＦ２３０−４とに接続されている。コネクタ５８０−３は、ＭＣＦ２３０−３の各コア２３１〜２４２及びＭＣＦ２３０−４の各コア２３１〜２４２それぞれと接続する接続点を備える。各接続点では、接続するコアに対して光信号の入力と出力を行う。コネクタ５８０−３は、ＭＣＦ２３０−３の各コアに対する接続点１ａ〜１ｍと、ＭＣＦ２３０−４の各コアに対する接続点２ａ〜２ｍとを備える。
【０１９５】
コネクタ５８０−３において、接続点１ａは、ＭＣＦ２３０−３のコア２３１と接続する。接続点１ａは、自ノードの第１の方向側に接続されたＡｄｄ／Ｄｒｏｐノード１２０−２から自ノードへの光信号をコア２３１から分岐する。接続点１ａにより分岐される光信号は、自ノードの送受信装置へ接続される。接続点１ｂは、ＭＣＦ２３０−３のコア２３２と接続する。接続点１ｂは、自ノードから第１の方向へ２つ先のＡｄｄ／Ｄｒｏｐノード１２０−１から自ノードへの光信号をコア２３２から分岐する。接続点１ｂにより分岐される光信号は、自ノードの送受信装置へ接続される。
【０１９６】
接続点１ｃは、ＭＣＦ２３０−３のコア２３３と接続する。接続点１ｃは、Ａｄｄ／Ｄｒｏｐノード１２０−２から自ノードの第２の方向側に接続されたＡｄｄ／Ｄｒｏｐノード１２０−４への光信号をコア２３３から分岐する。接続点１ｃにより分岐される光信号は、接続点２ｂへ接続されることでＭＣＦ２３０−４のコア２３２へ中継される。接続点１ｄは、ＭＣＦ２３０−３のコア２３４と接続する。接続点１ｄは、自ノードから第１の方向へ３つ先のＡｄｄ／Ｄｒｏｐノード１２０−４から自ノードへの光信号をコア２３４から分岐する。接続点１ｄにより分岐される光信号は、自ノードの送受信装置へ接続される。
【０１９７】
接続点１ｅは、ＭＣＦ２３０−３のコア２３５と接続する。接続点１ｅは、Ａｄｄ／Ｄｒｏｐノード１２０−１からＡｄｄ／Ｄｒｏｐノード１２０−４への光信号をコア２３５から分岐する。接続点１ｅにより分岐される光信号は、接続点２ｄへ接続されることでＭＣＦ２３０−４のコア２３４中継される。接続点１ｆは、ＭＣＦ２３０−３のコア２３６と接続する。接続点１ｆは、Ａｄｄ／Ｄｒｏｐノード１２０−２から、自ノードから第２の方向へ２つ先のＡｄｄ／Ｄｒｏｐノード１２０−１への光信号をコア２３６から分岐する。接続点１ｆにより分岐される光信号は、接続点２ｅへ接続されることでＭＣＦ２３０−４のコア２３４中継される。
【０１９８】
接続点１ｇは、ＭＣＦ２３０−３のコア２３７と接続する。接続点１ｇは、接続点２ｈにより分岐される光信号であってＡｄｄ／Ｄｒｏｐノード１２０−１からＡｄｄ／Ｄｒｏｐノード１２０−２への光信号をコア２３７へ接続する。接続点１ｈは、ＭＣＦ２３０−３のコア２３８と接続する。接続点１ｈは、接続点２ｉにより分岐される光信号であってＡｄｄ／Ｄｒｏｐノード１２０−４からＡｄｄ／Ｄｒｏｐノード１２０−１への光信号をコア２３８へ接続する。
【０１９９】
接続点１ｉは、ＭＣＦ２３０−３のコア２３９と接続する。接続点１ｉは、自ノードの送受信装置により生成される光信号であって自ノードから第１の方向へ３つ先のＡｄｄ／Ｄｒｏｐノード１２０−３への光信号をコア２３９へ挿入する。接続点１ｊは、ＭＣＦ２３０−３のコア２４０と接続する。接続点１ｊは、接続点２ｋにより分岐される光信号であってＡｄｄ／Ｄｒｏｐノード１２０−４からＡｄｄ／Ｄｒｏｐノード１２０−２への光信号をコア２４０へ接続する。
【０２００】
接続点１ｋは、ＭＣＦ２３０−３のコア２４１と接続する。接続点１ｋは、自ノードの送受信装置により生成される光信号であってＡｄｄ／Ｄｒｏｐノード１２０−１への光信号をコア２４１へ挿入する。接続点１ｍは、ＭＣＦ２３０−３のコア２４２と接続する。接続点１ｍは、自ノードの送受信装置により生成される光信号であってＡｄｄ／Ｄｒｏｐノード１２０−２への光信号をコア２４２へ挿入する。
【０２０１】
接続点２ａは、ＭＣＦ２３０−４のコア２３１と接続する。接続点２ａは、自ノードの送受信装置により生成される光信号であってＡｄｄ／Ｄｒｏｐノード１２０−４への光信号をコア２３１へ挿入する。接続点２ｂは、ＭＣＦ２３０−４のコア２３２と接続する。接続点２ｂは、接続点１ｃにより分岐される光信号をコア２３２へ接続する。
【０２０２】
接続点２ｃは、ＭＣＦ２３０−４のコア２３３と接続する。接続点２ｃは、自ノードの送受信装置により生成される光信号であってＡｄｄ／Ｄｒｏｐノード１２０−１への光信号をコア２３３へ挿入する。接続点２ｄは、ＭＣＦ２３０−４のコア２３４と接続する。接続点２ｄは、接続点１ｅにより分岐される光信号をコア２３４へ接続する。
【０２０３】
接続点２ｅは、ＭＣＦ２３０−４のコア２３５と接続する。接続点２ｅは、接続点１ｆにより分岐される光信号をコア２３５へ接続する。接続点２ｆは、ＭＣＦ２３０−４のコア２３６と接続する。接続点２ｆは、自ノードの送受信装置により生成される光信号であって自ノードから第２の方向へ３つ先のＡｄｄ／Ｄｒｏｐノード１２０−２への光信号をコア２３６へ挿入する。
【０２０４】
接続点２ｇは、ＭＣＦ２３０−４のコア２３７と接続する。接続点２ｇは、Ａｄｄ／Ｄｒｏｐノード１２０−２から自ノードへの光信号をコア２３７から分岐する。接続点２ｇにより分岐される光信号は、自ノードの送受信装置へ接続される。接続点２ｈは、ＭＣＦ２３０−４のコア２３８と接続する。接続点２ｈは、Ａｄｄ／Ｄｒｏｐノード１２０−１からＡｄｄ／Ｄｒｏｐノード１２０−２への光信号を分岐する。接続点２ｈにより分岐される光信号は、接続点１ｇへ接続されることでＭＣＦ２３０−３のコア２３７へ中継される。
【０２０５】
接続点２ｉは、ＭＣＦ２３０−４のコア２３９と接続する。接続点２ｉは、Ａｄｄ／Ｄｒｏｐノード１２０−４から、Ａｄｄ／Ｄｒｏｐノード１２０−１への光信号をコア２３９から分岐する。接続点２ｉにより分岐される光信号は、接続点１ｈへ接続されることでＭＣＦ２３０−３のコア２３８へ中継される。接続点２ｊは、ＭＣＦ２３０−４のコア２４０と接続する。接続点２ｊは、Ａｄｄ／Ｄｒｏｐノード１２０−１から自ノードへの光信号をコア２４０から分岐する。接続点２ｊにより分岐される光信号は、自ノードの送受信装置へ接続される。
【０２０６】
接続点２ｋは、ＭＣＦ２３０−４のコア２４１と接続する。接続点２ｋは、Ａｄｄ／Ｄｒｏｐノード１２０−４から自ノードの第１の方向側に接続されたＡｄｄ／Ｄｒｏｐノード１２０−２への光信号をコア２４１から分岐する。接続点２ｋにより分岐される光信号は、接続点１ｊへ接続されることでＭＣＦ２３０−３のコア２４０へ中継される。接続点２ｍは、ＭＣＦ２３０−４のコア２４２と接続する。接続点２ｍは、Ａｄｄ／Ｄｒｏｐノード１２０−４から自ノードへの光信号をコア２４２から分岐する。接続点２ｍにより分岐される光信号は、自ノードの送受信装置へ接続される。
【０２０７】
前述の構成を有するコネクタ５８０−３に接続されるＭＣＦ２３０−３、２３０−４において、コア２３１は、第１の方向側に接続されたノードから第２の方向側に接続されたノードへの光信号を伝送する。コア２３２は、第１の方向に２つ先のノードから第２の方向側に接続されたノードへの光信号を伝送する。コア２３３は、第１の方向側に接続されたノードから第２の方向に２つ先のノードへの光信号を伝送する。コア２３４は、第１の方向に３つ先のノードから第２の方向側に接続されたノードへの光信号を伝送する。コア２３５は、第１の方向に２つ先のノードから２の方向に２つ先のノードへの光信号を伝送する。
【０２０８】
コア２３６は、第１の方向側に接続されたノードから第２の方向に３つ先のノードへの光信号を伝送する。コア２３７は、第２の方向に３つ先のノードから第１の方向側に接続されたノードへの光信号を伝送する。コア２３８は、第２の方向に２つ先のノードから第１の方向に２つ先のノードへの光信号を伝送する。コア２３９は、第２の方向側に接続されたノードから第１の方向に３つ先のノードへの光信号を伝送する。コア２４０は、第２の方向に２つ先のノードから第１の方向側に接続されたノードへの光信号を伝送する。コア２４１は、第２の方向側に接続されたノードから第１の方向に２つ先のノードへの光信号を伝送する。コア２４２は、第２の方向側に接続されたノードから第１の方向側に接続されたノードへの光信号を伝送する。
【０２０９】
前述の構成を備えるコネクタ５８０を各Ａｄｄ／Ｄｒｏｐノード１２０に備えることで、各Ａｄｄ／Ｄｒｏｐノード１２０は自ノードと他のＡｄｄ／Ｄｒｏｐノード１２０との通信における光信号をＡｄｄ／Ｄｒｏｐでき、各Ａｄｄ／Ｄｒｏｐノード１２０間の通信経路を形成することができる。各Ａｄｄ／Ｄｒｏｐノード１２０では、第１の方向側に接続するＭＣＦ２３０と第２の方向側に接続するＭＣＦ２３０とを同じ構成のコネクタ５８０が接続する。コネクタ５８０でＭＣＦ２３０を接続することにより、コネクタに掛かるコストを削減することができ、ＭＣＦの接続に用いるコネクタを間違えるなどの人的なミスの発生を防ぐことができる。また、コア単位で光信号のＡｄｄ／Ｄｒｏｐを行うことにより、多重化された波長の異なる光信号を波長ごとに分ける処理などが不要となるため、各Ａｄｄ／Ｄｒｏｐノードにおける装置の設置や保守の手間を削減できる。
【０２１０】
第５から第８の実施形態における通信システムのＡｄｄ／Ｄｒｏｐノードに備えられるコネクタは、それぞれ同じ構成を有している。例えば、コネクタそれぞれは、自身が備えられている自ノードに隣接する第１のＡｄｄ／Ｄｒｏｐノードと自ノードとを接続する第１のＭＣＦと、第１のノードと逆側に隣接する第２のＡｄｄ／Ｄｒｏｐノードと自ノードとを接続する第２のＭＣＦとを接続する構成を有している。また、コネクタは、第１のＡｄｄ／Ｄｒｏｐノードと自ノードとの通信における光信号を第１のＭＣＦの第１のコアに対して挿入又は分岐する第１の接続点と、第２のＡｄｄ／Ｄｒｏｐノードと自ノードとの通信における光信号を第２のＭＣＦの第１のコアに対して挿入又は分岐する第２の接続点とを備える。ここで、第２のＭＣＦの第１のコアは、第２のＡｄｄ／Ｄｒｏｐノードにおける第１のＭＣＦの第１のコアである。すなわち、自ノードにおいて挿入又は分岐される光信号を伝送するコアに対する接続点と、中継する光信号を伝送するコアに対する接続点との相対的な位置関係が各Ａｄｄ／Ｄｒｏｐノードにおいて同じとなる構成をコネクタは有している。また、コネクタは、自ノードと他のノードとの通信を伝送するコアに対して光信号を挿入又は分岐する接続部と、第１のＭＣＦと第２のＭＣＦとの間において他のノード間の通信に対して割り当てられたコアにより伝送される信号を中継する信号中継部とを備える。例えば、図１５に示したコネクタ５５０−３において、接続部は、コア２０２−３から送受信装置へ光信号を接続する接続点１ｂを含む構成であり、信号中継部は、コア２０１−３とコア２０２−４とを接続して光信号を両コア間において中継する接続点１ａ、２ｂを含む構成である。
【０２１１】
ここで、通信システムにおいて用いられるＭＣＦに必要となるコア数について説明する。図１５において示した通信システムのように、リング型の物理トポロジと完全メッシュ型の論理トポロジを有し、各コアでは一方向の光信号を伝送する場合、ノード数をＮとすると必要となるコア数Ｃは、式（１）で得られる。なお、Ｎ≦２の条件下では、リング型の物理トポロジを構築できないため、Ｎ≧３とする。
【数１】
2017090622.tif 000003
【０２１２】
また、図１６において示した通信システムのように、リング型の物理トポロジと完全メッシュ型の論理トポロジを有し、各コアでは双方向の光信号を伝送する場合、ノード数をＮとすると必要となるコア数Ｃは、式（２）で得られる。
【数２】
2017090622.tif 000004
【０２１３】
また、図１７において示した通信システムのように、リング型の物理トポロジと完全メッシュ型の論理トポロジを有し、各コアでは双方向の光信号を伝送し、通信経路を二重化した場合、ノード数をＮとすると必要となるコア数Ｃは、式（３）で得られる。
【数３】
2017090622.tif 000005
【０２１４】
また、図１８において示した通信システムのように、リング型の物理トポロジと完全メッシュ型の論理トポロジを有し、各コアでは一方向の光信号を伝送し、通信経路を二重化した場合、ノード数をＮとすると必要となるコア数Ｃは、式（４）で得られる。
【数４】
2017090622.tif 000006
【０２１５】
なお、各実施形態における通信システムでは、ノード間を接続するＭＣＦが有するコアをすべて利用する構成について説明した。しかし、ノード間の接続に必要なコア数より多いコア数を有するＭＣＦを用いてもよい。この場合には、ノード間の接続に利用されないコアを共用のコアとして確保し、トラヒック需要が著しく増加したときや利用しているコアに故障が生じたときに共用のコアを利用してもよい。図１９Ａ及び図１９Ｂは、本発明に関するマルチコアファイバにおいて共用のコアを設ける構成の一例を示す図である。図１９Ａには、マルチコアファイバの断面図が示されている。マルチコアファイバの外周側に配置されたコアを各実施形態の通信システムにおけるノード間の通信に用いるコアとしての専用コア群とし、内側に配置されたコアを共用コア群としてもよい。このように共用コアを設ける場合には、各実施形態において説明した第１のコネクタ部と、共用コアに対して光信号のＡｄｄ／Ｄｒｏｐを行うための第２のコネクタ部とをコネクタが備えればよい。なお、共用コア群のコアに関しては、１つずつ異なる目的に利用してもよいし、１つの目的に対して複数のコアを用いてもよい。また、共用のコアは、ノード間の通信以外の目的で用いてもよい。
【０２１６】
図１９Ｂには、共用コアに対する光信号のＡｄｄ／Ｄｒｏｐの概念が示されている。共用コアに関しては、コア単位でＡｄｄ／Ｄｒｏｐするのではなく、共用コアの光信号に対する一部分岐と挿入とを行うことで、共用コア群を利用するノードにおいてコネクタの構成が同じになるようにしてもよい。図１９Ｂに示すように、一部又はすべてのノードにおいて共用コアの光信号の一部の光信号をＡｄｄ／Ｄｒｏｐし、他の光信号を透過させる。この場合、Ａｄｄ／Ｄｒｏｐする光信号と透過する光信号との比率は、ノード数に依存する。この構成の場合には、共用コアの利用に際してコネクタを変更する必要がなく、必要に応じて適宜利用することができる。
【０２１７】
また、各実施形態の通信システムにおけるコネクタは、ツリーや完全メッシュの論理トポロジを実現する際に用いることができるが、一部のコアへの光信号の伝送を行わない形態で使用してもよい。例えば、上述の実施形態では、２つの送受信ノードを備える通信システムで用いるコネクタについて説明したが、１つの送受信ノードを備える通信システムでも同様に用いることができる。その場合には、一部の通信経路を形成するコアを使用しないことになる。
【０２１８】
また、各実施形態の通信システムでは、ノード間の接続にＭＣＦを用いる構成例を説明した。しかし、図９及び図１０に示したように、ノード間の接続の一部又は複数に複数のＳＣＦが用いられてもよい。
【０２１９】
また、各実施形態の通信システムにおいて説明した、コネクタの接続点とＡｄｄ／Ｄｒｏｐの対象となるコアの対応関係や、接続点の並びや位置は、一例であり、図面などに示した対応関係や、接続点の並びと位置などは、実施形態において説明したものに限定されるものではない。
【０２２０】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【０２２１】
マルチコアファイバに接続されたノードにおいて光信号の挿入と分岐とを容易にすることが不可欠な用途にも適用できる。
【符号の説明】
【０２２２】
１２０  Ａｄｄ／Ｄｒｏｐノード
１２５，１２６  送受信装置
２００，２１０，２２０，２３０  ＭＣＦ（Multi Core Fiber）
２０１，２０２，２０３  コア
２１１，２１２，２１３，２１４，２１５，２１６  コア
２２１，２２２，２２３，２２４  コア
２３１，２３２，２３３，２３４，２３５，２３６，２３７，２３８，２３９，２４０，２４１，２４２  コア
４００，４１０  変換コネクタ
４５１、４５２、４５３  ＳＣＦ（Single Core Fiber）
５００  通信システム
５１０，５２０，５３０，５４０，５５０，５６０，５７０，５８０  コネクタ
【図１】
2017090622.tif 000007
【図２Ａ】
2017090622.tif 000008
【図２Ｂ】
2017090622.tif 000009
【図３Ａ】
2017090622.tif 000010
【図３Ｂ】
2017090622.tif 000011
【図４Ａ】
2017090622.tif 000012
【図４Ｂ】
2017090622.tif 000013
【図５】
2017090622.tif 000014
【図６】
2017090622.tif 000015
【図７】
2017090622.tif 000016
【図８】
2017090622.tif 000017
【図９】
2017090622.tif 000018
【図１０】
2017090622.tif 000019
【図１１Ａ】
2017090622.tif 000020
【図１１Ｂ】
2017090622.tif 000021
【図１２Ａ】
2017090622.tif 000022
【図１２Ｂ】
2017090622.tif 000023
【図１３】
2017090622.tif 000024
【図１４】
2017090622.tif 000025
【図１５Ａ】
2017090622.tif 000026
【図１５Ｂ】
2017090622.tif 000027
【図１６】
2017090622.tif 000028
【図１７】
2017090622.tif 000029
【図１８】
2017090622.tif 000030
【図１９Ａ】
2017090622.tif 000031
【図１９Ｂ】
2017090622.tif 000032
【国際調査報告】
2017090622.tif 000033
2017090622.tif 000034
2017090622.tif 000035
2017090622.tif 000036